(57)【特許請求の範囲】
【請求項１】
内部表面および外部表面を備えたハウジングであって、該ハウジングは、ユーザの身体部分を少なくとも部分的に取り巻くように構成され、該内部表面は、該身体部分と少なくとも部分的に接触するように構成される、ハウジングと、
前記内部表面の少なくとも一部分の上に配置された内部電極と、
外部電極が前記内部電極から電気的に絶縁されるように前記外部表面の少なくとも一部分の上に配置された外部電極であって、前記内部電極および前記外部電極は、皮膚抵抗を測定するように構成される、外部電極と、
前記内部電極と前記外部電極との間で前記ユーザの前記皮膚抵抗を測定するように構成された少なくとも１つの回路と、
を備える装置であって、
別個のハウジングの内部表面がユーザの第２の身体部分と少なくとも部分的に接触するように構成されるように前記ユーザの第２の身体部分を少なくとも部分的に取り巻くように構成される別個のハウジングであって、
該別個のハウジングの前記内部表面が、導電性材料を備え、
前記別個のハウジングの前記外部表面は、導電性材料と、前記別個のハウジングの前記内部表面の前記導電性材料の少なくとも一部分と、前記別個のハウジングの前記外部表面の前記導電性材料の少なくとも一部分との間に伸びる導電体と、
を備える、別個のハウジング
を更に備える、
装置。
【請求項２】
前記内部電極および前記外部電極は、前記内部電極と前記外部電極との間で測定される電気的皮膚抵抗が前記装置を通る前記内部電極と前記外部電極との間の距離よりも長い電気径路にわたって測定されるように構成される、請求項１に記載の装置。
【請求項３】
別個の装置に対して前記皮膚抵抗を示す情報を送信するように構成される通信デバイスをさらに備える、請求項１または２に記載の装置。
【請求項４】
前記ハウジングは少なくとも、腕時計、ブレスレットまたはリングの一部であり、
前記ハウジングは更に、前記皮膚抵抗に基づいて、視覚インジケータ、聴覚インジケータまたはその両方を提供するように構成された標示デバイスを備える、
請求項１ないし３のいずれか１項に記載の装置。
【請求項５】
前記ハウジングの前記外部表面は、前記ユーザの第２の身体部分と少なくとも部分的に接触するように構成された、または、前記別個のハウジングに接触するように構成された少なくとも１つのチャネルを備え、
該別個のハウジングは、前記ユーザの第２の身体部分と接触するように構成される、
請求項１に記載の装置。
【請求項６】
前記外部表面の少なくとも部分は、前記内部表面の少なくとも部分と同心である、請求項１ないし５のいずれか１項に記載の装置。
【請求項７】
前記内部電極と前記外部電極との間の前記皮膚抵抗を示す情報を前記回路から受信するための手段と、
少なくとも部分的に前記皮膚抵抗に基づいて前記ユーザの電気皮膚反応を決定するための手段と、を更に備える、請求項１ないし６のいずれか１項に記載の装置。
【請求項８】
前記皮膚抵抗が皮膚接触閾値内にあることを決定するための手段をさらに備え、
前記電気皮膚反応の前記決定は、前記皮膚抵抗が前記皮膚接触閾値内にあることの前記決定に応答して実行される、請求項７に記載の装置。
【請求項９】
前記皮膚抵抗が前記皮膚接触閾値を超えるように変化したことを決定するための手段と、
前記皮膚抵抗が前記皮膚接触閾値を超えるように変化したことの前記決定に応答して、前記ユーザの電気皮膚反応の決定を除外するための手段と、
をさらに備える、請求項８に記載の装置。
【請求項１０】
前記電気皮膚反応の前記決定は、少なくとも部分的に、前記皮膚抵抗と所定の皮膚抵抗値との間の差に基づく、請求項７ないし９のいずれか１項に記載の装置。
【請求項１１】
前記電気皮膚反応の前記決定は、少なくとも部分的に、前記皮膚抵抗の経時的変動に基づく、請求項７ないし９のいずれか１項に記載の装置。
【請求項１２】
別個の装置との通信チャネルを確立するステップと、
前記通信チャネルを用いて前記別個の装置に対して前記皮膚抵抗を示す情報を送信させるステップと、
を実行するための手段をさらに備える、請求項１ないし１１のいずれか１項に記載の装置。
【請求項１３】
請求項１ないし１２のいずれか１項に記載の装置であって、
該装置は、少なくとも１つのプロセッサ、および、コンピュータ・プログラムを格納した少なくとも１つのメモリを備え、
該コンピュータ・プログラムは、該少なくとも１つのプロセッサにより実行されたときに、該装置に、該装置が備える手段を実行させる、
装置。
【発明の詳細な説明】
【技術分野】
【０００１】
本出願は、概して、皮膚抵抗を測定するための装置および方法に関する。
【背景技術】
【０００２】
電子装置が我々の社会において増々広く行き渡り拡散するにつれて、人々が数値を測定するために電子装置を利用することが増えている。多くのユーザは、特定の数値の測定に関連する用途のために電子装置に頼ることができる。したがって、特定の数値の直感的で単純な測定を容易にするように電子装置を構成することが望まれる。
【発明の概要】
【０００３】
例示的実施形態のさまざまな態様が、要約書、図面、詳細な説明、および、特許請求の範囲に提示されている。
【０００４】
１つ以上の例示的実施形態は、内部電極と外部電極の間の皮膚抵抗を示す情報を回路から受信するステップであって、内部電極がハウジングの内部表面の少なくとも一部分の上に配置され、外部電極は、外部電極が例えば空間、電気絶縁材料または別の手段によって内部電極から分離されるようにハウジングの外部表面の少なくとも一部分上に配置され、ハウジングは、ハウジングの内部表面が身体部分と少なくとも部分的に接触するように構成されハウジングの外部表面が身体部分との接触を回避するように構成されるように、ハウジングのユーザの身体部分と接触状態にあるかまたはこの身体部分を少なくとも部分的に取り巻くように構成されている、受信ステップと、外部電極がユーザと接触状態にあるとき少なくとも部分的に皮膚抵抗に基づいてユーザの電気皮膚反応を決定するステップと、を目的とする装置、コンピュータ可読媒体、非一時的コンピュータ可読媒体、コンピュータ・プログラム・プロダクトおよび／または方法を提供することができる。
【０００５】
１つ以上の例示的実施形態は、内部電極と外部電極の間の皮膚抵抗を示す情報を回路から受信するための手段であって、内部電極がハウジングの内部表面の少なくとも一部分の上に配置され、外部電極は、外部電極が（例えば電気絶縁材料によって）内部電極から分離されるようにハウジングの外部表面の少なくとも一部分上に配置され、ハウジングは、ハウジングの内部表面が身体部分と少なくとも部分的に接触するように構成されハウジングの外部表面が身体部分との接触を回避するように構成されるように、ハウジングのユーザの身体部分と接触状態にあるかまたはこの身体部分を少なくとも部分的に取り巻くように構成されている、手段と、外部電極がユーザと接触状態にあるとき少なくとも部分的に皮膚抵抗に基づいてユーザの電気皮膚反応を決定するための手段とを有する装置、コンピュータ可読媒体、コンピュータ・プログラム・プロダクトおよび／または非一時的コンピュータ可読媒体を提供することができる。
【０００６】
いくつかの実装は、内部表面および外部表面を備えたハウジングと、内部表面の少なくとも一部分の上に配置された内部電極と、外部電極が内部電極から電気的に分離されるように外部表面の少なくとも一部分の上に配置された外部電極と、内部電極および外部電極がユーザと接触状態にある場合に内部電極と外部電極の間で皮膚抵抗を測定するように構成された少なくとも１つの回路と、を備えた、装置を含んでいる。
【０００７】
少なくとも１つの例示的実施形態において、内部電極および外部電極は、ユーザを通る最短の電気経路を形成するように構成されており、最短の電気経路は、内部電極と外部電極の間のハウジングを通るいずれの経路よりも長い。
【０００８】
いくつかの実装は、ハウジングの内部表面が身体部分と少なくとも部分的に接触するように構成されハウジングの外部表面が身体部分との接触を回避するように構成されるように、装置のユーザの身体部分と接触状態にあるかまたはこの身体部分を少なくとも部分的に取り巻くように構成されているハウジングと、ハウジングの内部表面の少なくとも一部分の上に配置された内部電極と、外部電極が内部電極から（例えば電気絶縁材料によって）分離されるようにハウジングの外部表面の少なくとも一部分の上に配置された外部電極と、内部電極と外部電極の間で皮膚抵抗を測定するように構成された少なくとも１つの回路と、を備えた装置を含んでいる。
【０００９】
いくつかの実施形態において、ハウジングは、別個のデバイスまたは装置と通信するように構成されたインターフェース・モジュールを含むかまたは使用することができる。インターフェース・モジュールは、別個のデバイスまたは装置に対し皮膚抵抗の情報を送信するおよび／または別個のデバイスまたは装置から情報を受信することができる。
【００１０】
少なくとも１つの例示的実施形態において、身体部分は、指、手首、足首、首、ウエスト、頭、四肢、および／またはつま先のうちの少なくとも１つである。
【００１１】
少なくとも１つの例示的実施形態において、ハウジングは、ユーザの一部分を少なくとも部分的に取り巻くように構成された形状をしており、内部表面はユーザの身体部分と接触するように構成されている。例えば、少なくとも１つの例示的実施形態において、ハウジングは、ユーザの指を少なくとも部分的に取り巻くように構成されたリングである。
【００１２】
少なくとも１つの例示的実施形態において、ハウジングは、ユーザの手首を少なくとも部分的に取り巻くように構成されたブレスレットである。
【００１３】
少なくとも１つの例示的実施形態において、ハウジングは少なくとも部分的にドーナツ形である。
【００１４】
少なくとも１つの例示的実施形態において、ハウジングは、身体部分を完全に取り巻くように構成された連続的にドーナツ形の形状である。
【００１５】
少なくとも１つの例示的実施形態において、ハウジングは、身体部分を完全に取り巻くことなく身体部分を部分的に取り巻くように構成された不連続的にドーナツ形の形状である。
【００１６】
少なくとも１つの例示的実施形態において、ハウジングは、ドーナツ形形状が不連続的にドーナツ形の形状となるようにドーナツ形形状内にギャップを備える。
【００１７】
少なくとも１つの例示的実施形態において、ハウジングは、腕時計、ブレスレットまたはリングの少なくとも一部であり、ハウジングはさらに、皮膚抵抗に基づいて視覚インジケータ、聴覚インジケータまたはその両方を提供するように構成された標示デバイスを備える。
【００１８】
少なくとも１つの例示的実施形態において、ハウジングは、ハウジングの外部表面からの少なくとも１つの外向き突出部を備える。
【００１９】
少なくとも１つの例示的実施形態において、外向き突出部は、少なくとも１つのディスプレイ要素を備える。
【００２０】
少なくとも１つの例示的実施形態において、ハウジングの外部表面は、ユーザの異なる身体部分を部分的に取り巻くように構成された少なくとも１本のチャネルを備える。チャネルは、例えば接触面積を増大させるように構成されている。
【００２１】
少なくとも１つの例示的実施形態において、異なる身体部分は指であり、チャネルは指の形状に対応させて整形される。
【００２２】
少なくとも１つの例示的実施形態において、ハウジングは、ユーザの異なる指を少なくとも部分的に取り巻くように構成されたリングであり、チャネルは、ハウジングの内部表面と実質的に同じサイズになっている。
【００２３】
少なくとも１つの例示的実施形態において、内部電極の少なくとも一部分は、外部電極の少なくとも一部分と同心である。
【００２４】
少なくとも１つの例示的実施形態において、電気絶縁材料は、内部電極および外部電極と同心である。
【００２５】
少なくとも１つの例示的実施形態において、電気絶縁材料は、内部電極と外部電極の間に同心的分離を形成する。
【００２６】
少なくとも１つの例示的実施形態において、内部電極は、ハウジングの内部表面上で長手方向に配置されている。
【００２７】
少なくとも１つの例示的実施形態において、内部電極は長手方向に隣接している。
【００２８】
少なくとも１つの例示的実施形態において、内部電極は、ハウジングの外部表面上の配置を除外して、ハウジングの内部表面の少なくとも一部分の上に配置されている。
【００２９】
少なくとも１つの例示的実施形態において、内部電極は、ハウジングの外部表面のいずれの部分上にも配置され得ない。
【００３０】
少なくとも１つの例示的実施形態において、外部電極は、ハウジングの内部表面上の配置は除外して、ハウジングの外部表面の少なくとも一部分の上に配置されている。
【００３１】
少なくとも１つの例示的実施形態において、外部電極は、ハウジングの内部表面のいずれの部分上にも配置され得ない。
【００３２】
少なくとも１つの例示的実施形態において、外部電極は、外部電極および内部電極から電気的に絶縁されている半径方向ギャップを備える。
【００３３】
少なくとも１つの例示的実施形態において、ハウジングはさらに、外部電極から半径方向ギャップを触覚で識別する、半径方向ギャップ内に配置された触覚インジケータを備える。
【００３４】
少なくとも１つの例示的実施形態において、電極は、ユーザの皮膚を回路と電気的に結合させるように構成された導電体である。
【００３５】
少なくとも１つの例示的実施形態において、電極は、ユーザの皮膚と接触するように構成されている。
【００３６】
少なくとも１つの例示的実施形態において、内部電極と外部電極の間の皮膚抵抗を示す情報を無線で伝送するように構成された、ハウジングと結合された無線送信機を含む。
【００３７】
少なくとも１つの例示的実施形態において、装置はさらに少なくとも１つのプロセッサと少なくとも１つのメモリを備え、メモリは、実行されたときに装置に内部電極と外部電極の間の皮膚抵抗を示す情報を回路から受信させ、少なくとも部分的に皮膚抵抗に基づいてユーザの電気皮膚反応を決定させるマシン可読命令を含んでいる。
【００３８】
少なくとも１つの例示的実施形態において、電気皮膚反応の決定は、少なくとも部分的に、皮膚抵抗の経時的変動に基づくものである。
【００３９】
少なくとも１つの例示的実施形態において、電気皮膚反応の決定は、少なくとも部分的に、皮膚抵抗と既定の皮膚抵抗値の差に基づくものである。
【００４０】
１つ以上の例示的実施形態はさらに、皮膚抵抗が皮膚接触閾値以内であることの決定を行なう。
【００４１】
少なくとも１つの例示的実施形態において、電気皮膚反応の決定は、皮膚抵抗が皮膚接触閾値内にあることの決定に応答して行なわれる。
【００４２】
１つ以上の例示的実施形態はさらに、皮膚抵抗が皮膚接触閾値を超えたものとなるように変化したことの決定および、皮膚抵抗が皮膚接触閾値を超えたものとなるように変化したことの決定に応答した、ユーザの電気皮膚反応の決定の除外を行なう。
【００４３】
１つ以上の例示的実施形態はさらに、別個の装置を用いて通信チャネルを確立し、通信チャネルを用いて別個の装置に電気皮膚反応を示す情報を送信させる。
【００４４】
１つ以上の例示的実施形態は、別個のハウジングの内部表面が身体部分と少なくとも部分的に接触するように構成されるように、ユーザの異なる身体部分を少なくとも部分的に取り巻くように構成されている別個のハウジングをさらに含み、別個のハウジングの内部表面は、ハウジングの外部電極と接触するように構成されている別個のハウジングの外部表面に対して電気的に接続されて、ユーザとのハウジングの外部電極の接触を提供している。
【００４５】
少なくとも１つの例示的実施形態において、ハウジングの外部表面は、別個のハウジングを部分的に取り巻くように構成された少なくとも１つのチャネルを備える。
【００４６】
少なくとも１つの例示的実施形態において、チャネルは別個のハウジングの外部表面と実質的に同じサイズになっている。
【００４７】
少なくとも１つの例示的実施形態において、別個のハウジングは、完全に導電性材料で構成されている。
【００４８】
少なくとも１つの例示的実施形態において、別個のハウジングの外部表面は、導電性表面および電気絶縁表面を備え、導電性表面は、導電性材料を含む別個のハウジングの外部表面の一部分であり、電気絶縁表面は、電気絶縁材料を含む別個のハウジングの外部表面の一部分である。
【００４９】
少なくとも１つの例示的実施形態において、別個のハウジングの電気絶縁表面はさらに、別個のハウジングの導電性表面から別個のハウジングの電気絶縁表面を触覚により区別する触覚インジケータを備える。
【００５０】
少なくとも１つの例示的実施形態において、別個のハウジングの外部表面は、ハウジングを部分的に取り巻くように構成された少なくとも１本のチャネルを備える。
【００５１】
少なくとも１つの例示的実施形態において、チャネルは、ハウジングの外部表面と実質的に同じサイズになっている。
【００５２】
１つ以上の例示的実施形態をより完全に理解するために、ここで添付図面に関連づけて以下の説明を参照することが指示される。
【図面の簡単な説明】
【００５３】
【図１】少なくとも１つの例示的実施形態に係る装置を示すブロック図である。
【図２Ａ】少なくとも１つの例示的実施形態に係る装置を例示する略図である。
【図２Ｂ】少なくとも１つの例示的実施形態に係る装置を例示する略図である。
【図２Ｃ】少なくとも１つの例示的実施形態に係る装置を例示する略図である。
【図３Ａ】少なくとも１つの例示的実施形態に係る皮膚抵抗測定を例示する略図である。
【図３Ｂ】少なくとも１つの例示的実施形態に係る皮膚抵抗測定を例示する略図である。
【図３Ｃ】少なくとも１つの例示的実施形態に係る皮膚抵抗測定を例示する略図である。
【図３Ｄ】少なくとも１つの例示的実施形態に係る皮膚抵抗測定を例示する略図である。
【図４Ａ】少なくとも１つの例示的実施形態に係るハウジングを例示する略図である。
【図４Ｂ】少なくとも１つの例示的実施形態に係るハウジングを例示する略図である。
【図４Ｃ】少なくとも１つの例示的実施形態に係るハウジングを例示する略図である。
【図４Ｄ】少なくとも１つの例示的実施形態に係るハウジングを例示する略図である。
【図４Ｅ】少なくとも１つの例示的実施形態に係るハウジングを例示する略図である。
【図４Ｆ】少なくとも１つの例示的実施形態に係るハウジングを例示する略図である。
【図４Ｇ】少なくとも１つの例示的実施形態に係るハウジングを例示する略図である。
【図４Ｈ】少なくとも１つの例示的実施形態に係るハウジングを例示する略図である。
【図４Ｉ】少なくとも１つの例示的実施形態に係るハウジングを例示する略図である。
【図４Ｊ】少なくとも１つの例示的実施形態に係るハウジングを例示する略図である。
【図５Ａ】少なくとも１つの例示的実施形態に係る別個のハウジングを例示する略図である。
【図５Ｂ】少なくとも１つの例示的実施形態に係る別個のハウジングを例示する略図である。
【図５Ｃ】少なくとも１つの例示的実施形態に係る別個のハウジングを例示する略図である。
【図５Ｄ】少なくとも１つの例示的実施形態に係る別個のハウジングを例示する略図である。
【図５Ｅ】少なくとも１つの例示的実施形態に係る別個のハウジングを例示する略図である。
【図６Ａ】少なくとも１つの例示的実施形態に係るハウジングを例示する略図である。
【図６Ｂ】少なくとも１つの例示的実施形態に係るハウジングを例示する略図である。
【図６Ｃ】少なくとも１つの例示的実施形態に係るハウジングを例示する略図である。
【図６Ｄ】少なくとも１つの例示的実施形態に係るハウジングを例示する略図である。
【図６Ｅ】少なくとも１つの例示的実施形態に係るハウジングを例示する略図である。
【図７】少なくとも１つの例示的実施形態に係る電気皮膚反応の決定と関連するアクティビティを例示する流れ図である。
【図８】少なくとも１つの例示的実施形態に係る皮膚接触閾値の決定と関連するアクティビティを例示する流れ図である。
【図９】少なくとも１つの例示的実施形態に係る別個の装置に対する情報の送信に関連するアクティビティを例示する流れ図である。
【発明を実施するための形態】
【００５４】
図面の図１から図９までを参照することによって、さまざまな例示的実施形態とその潜在的利点のいくつかが理解される。
【００５５】
ここで、以下では、全てではないもののいくつかの例示的実施形態を示す添付図面を参照しながら、いくつかの例示的実施形態についてさらに説明する。１つ以上の例示的実施形態を多くの異なる形態で具体化することができ、クレームは、本明細書中で設定されている例示的実施形態に厳密に限定されるものとみなされるべきではない。むしろ、これらの例示的実施形態は、本開示が適用可能な法的必要条件を満たすように提供されるものである。同じ参照番号は全体を通して同じ要素を意味する。本明細書中で使用される「データ」、「コンテンツ」、「情報」および類似の用語は、１つ以上の例示的実施形態にしたがって伝送、受信および／または記憶可能なデータを意味するために互換的に使用することができる。したがって、いずれかのこのような用語の使用は、例示的実施形態の精神および範囲を限定するものとして捉えられるべきではない。
【００５６】
さらに、本明細書中で使用する「回路」なる用語は、（ａ）ハードウェア専用回路実装（例えばアナログ回路、デジタル回路および／またはそれらの任意の組合せにおける実装）、（ｂ）本明細書中に説明されている１つ以上の機能を装置に行なわせるために協働する１つ以上のコンピュータ可読メモリ上に記憶されたソフトウェアおよび／またはファームウェア命令を含むコンピュータ・プログラム・プロダクトと回路の組合せ、および（ｃ）ソフトウェアまたはファームウェアが物理的に存在しない場合でも動作のためにそのソフトウェアまたはファームウェアを利用する、例えばマイクロプロセッサまたはマイクロプロセッサの一部分などの回路を意味する。「回路」のこの定義は、任意のクレーム中を含め、本明細書中のこの用語の全ての使用に適用される。さらなる一例として、本明細書で使用される「回路」なる用語は、同様に、１つ以上のプロセッサおよび／またはその一部分および付随するソフトウェアおよび／またはファームウェアを含む実装をも含む。別の例として、本明細書中で使用する「回路」なる用語は同様に、例えばベースバンド集積回路、アプリケーション・プロセッサ集積回路、セルラー・ネットワーク装置、他のネットワーク装置、および／または他の計算用装置も含んでいる。
【００５７】
本明細書中で定義されるように、物理的媒体（例えば揮発性または不揮発性メモリ・デバイス）を意味する「非一時的コンピュータ可読媒体」は、電磁信号を意味する「一時的コンピュータ可読媒体」とは区別され得る。少なくとも１つの例示的実施形態において、非一時的コンピュータ可読媒体は、有形の非一時的コンピュータ可読媒体である。
【００５８】
図１は、少なくとも１つの例示的実施形態に係る電子装置１０などの装置を示すブロック図である。しかしながら、例示され以下で説明する電子装置は、１つ以上の例示的実施形態の利益を享受することのできる電子装置の単なる一例にすぎず、したがって、クレームの範囲を限定するものとして捉えられるべきものではない、ということを理解しなければならない。一例として電子装置１０が示され以下で説明されるものの、他のタイプの電子装置も１つ以上の例示的実施形態を容易に利用することができる。電子装置１０は、携帯情報端末（ＰＤＡ）、ポケットベル、モバイル・コンピュータ、デスクトップ・コンピュータ、テレビ、ゲーム用装置、ラップトップ・コンピュータ、タブレット・コンピュータ、メディア・プレーヤー、カメラ、ビデオ・レコーダー、モバイル・フォン、全地球測位システム（ＧＰＳ）装置、自動車、キオスク、電子テーブル、ウェアラブル装置、リング装置、ブレスレット装置、ペンダント装置、ネックレス装置、ベルト装置、ヘッドバンド装置、アンクレット装置、ニア・アイ・ディスプレイ、ヘッド・マウント・ディスプレイ、個体の電気皮膚反応を決定するように構成されたあらゆる装置、および／または任意の他のタイプの電子システム、であることができる。その上、少なくとも１つの例示的実施形態の装置は、電子装置全体である必要はなく、他の例示的実施形態においては電子装置の１コンポーネントまたはコンポーネント群であることができる。例えば、装置は、集積回路、集積回路セットなどであることができる。
【００５９】
さらに、装置は、移動性を提供する意図の如何に関わらず、１つ以上の例示的実施形態を容易に利用することができる。この点に関して、移動体の利用分野に関連していくつかの例示的実施形態を説明できるにせよ、このような例示的実施形態は、移動体通信業界および移動体通信業界以外での両方におけるさまざまな他の利用分野に関連して利用することができる。例えば、装置は、移動体または携帯型装置であるかまたは、大画面テレビ、電子テーブル、キオスク、自動車などの持ち運びできないまたは非携帯型の装置の少なくとも一部分であることができる。
【００６０】
少なくとも１つの例示的実施形態において、電子装置１０は、プロセッサ１１などの少なくとも１つのプロセッサおよびメモリ１２などの少なくとも１つのメモリを含む。プロセッサ１１は、任意のタイプのプロセッサ、コントローラ、埋込み型コントローラ、プロセッサ・コアなどであることができる。少なくとも１つの例示的実施形態において、プロセッサ１１は、装置に１つ以上のアクションを行なわせるためにコンピュータ・プログラム・コードを利用する。メモリ１２は、一時的データ記憶用のキャッシュ・エリアを含む揮発性ランダム・アクセス・メモリ（ＲＡＭ）などの揮発性メモリ、および／または埋込みできるおよび／または取外しできる不揮発性メモリなどの他のメモリを含むことができる。不揮発性メモリは、ＥＥＰＲＯＭ、フラッシュ・メモリなどを含むことができる。メモリ１２は、多くの情報およびデータのいずれかを記憶することができる。情報およびデータは、本明細書中に記載の機能などの電子装置１０の１つ以上の機能を実装するために電子装置１０が使用できるものである。少なくとも１つの例示的実施形態において、メモリ１２は、メモリおよびコンピュータ・プログラム・コードが、プロセッサと協働して装置に本明細書に記載の１つ以上のアクションを行なわせるように構成されるように、コンピュータ・プログラム・コードを含む。
【００６１】
電子装置１０はさらに、通信デバイス１５を含むことができる。少なくとも１つの例示的実施形態において、通信デバイス１５は、アンテナ、（または多重アンテナ）、有線コネクタ、などを、送信機および／または受信機と作動的通信状態で含む。少なくとも１つの例示的実施形態において、プロセッサ１１は送信機に信号を提供し、および／または受信機から信号を受信する。信号は、通信インターフェース規格にしたがったシグナリング情報、ユーザ音声、受信データ、ユーザ生成データなどを含むことができる。通信デバイス１５は、１つ以上のインターフェース規格、通信プロトコル、変調タイプおよびアクセス・タイプ（例えば、有線および無線規格の電気電子技術者協会（ＩＥＥＥ）８０２ファミリ内の１つ以上の規格）で動作することができる。例として、電子通信デバイス１５は、第２世代（２Ｇ）無線通信プロトコルＩＳ−１３６（時分割多重接続（ＴＤＭＡ））、汎欧州デジタル移動電話方式（ＧＳＭ（登録商標））およびＩＳ−９６（符号分割多重接続（ＣＤＭＡ））、第３世代（３Ｇ）無線通信プロトコル、例えばユニバーサル移動体通信システム（ＵＭＴＳ）、広帯域ＣＤＭＡ（ＷＣＤＭＡ（登録商標））および時分割同期ＣＤＭＡ（ＴＤ−ＳＣＤＭＡ）、および／または第４世代（４Ｇ）無線通信プロトコル、無線ネットワーキング・プロトコル、例えば８０２．１１、短距離無線プロトコル、例えばＢｌｕｅｔｏｏｔｈ（登録商標）（例えばＢｌｕｅｔｏｏｔｈ４．ｘ以前または以降）などにしたがって動作することができる。通信デバイス１５は、有線プロトコル、例えばＥｔｈｅｒｎｅｔ、デジタル加入者ライン（ＤＳＬ）、非同期転送モード（ＡＴＭ）などにしたがって動作することができる。
【００６２】
プロセッサ１１は、音響、映像、通信、ナビゲーション、論理機能などを実装するため、ならびに例えば本明細書中に記載の機能の１つ以上を含む１つ以上の例示的実施形態を実装するための手段を備えることができる。例えば、プロセッサ１１は、例えば本明細書中に記載の機能の１つ以上を含むさまざまな機能を実施するために、デジタル信号プロセッサ・デバイス、マイクロプロセッサ・デバイス、アナログ・デジタル変換器、デジタル・アナログ変換器、処理回路および他の回路などの手段を含むことができる。装置は、それぞれの能力にしたがってこれらのデバイス中の電子装置１０の制御および信号処理機能を行なうことができる。こうしてプロセッサ１１は、変調および伝送に先立って、メッセージおよびデータをエンコードしインターリーブする機能性を含むことができる。プロセッサ１はさらに、内部音声コーダを備えることができ、内部データ・モデムを備えることができる。さらに、プロセッサ１１は、メモリ中に記憶され得なかでもプロセッサ１１に例えば本明細書中に記載の機能の１つ以上を含む少なくとも１つの実施形態を実装させることのできる１つ以上のソフトウェア・プログラムを動作させる機能性を含むことができる。例えば、プロセッサ１１は、従来のインターネットブラウザなどの接続性プログラムを動作させることができる。接続性プログラムは、電子装置１０が、例えば伝送制御プロトコル（ＴＣＰ）、インターネット・プロトコル（ＩＰ）、ユーザ・データグラム・プロトコル（ＵＤＰ）、インタネット・メッセージ・アクセス・プロトコル（ＩＭＡＰ）、ポスト・オフィス・プロトコル（ＰＯＰ）、シンプル・メール・トランスファ・プロトコル（ＳＭＴＰ）、無線アプリケーション・プロトコル（ＷＡＰ）、ハイパーテキスト・トランスファ・プロトコル（ＨＴＴＰ）などにしたがって、位置依存コンテンツおよび／または他のウェブ・ページ・コンテンツなどのインターネット・コンテンツを送受信できるようにすることができる。
【００６３】
電子装置１０は、出力を提供し、および／または入力を受信するためのユーザ・インターフェースを備えることができる。電子装置１０は、出力デバイス１４を備えることができる。出力デバイス１４は、例えばリンガー、イヤホン、スピーカーなどの聴覚出力デバイスを含むことができる。出力デバイス１４は、例えば振動変換器、電子的に変形可能な表面、電子的に変形可能な構造などの触覚出力デバイスを含むことができる。出力デバイス１４は、例えばディスプレイ、ライトなどの視覚出力デバイスを含むことができる。少なくとも１つの実施形態において、装置は、情報を表示させるが、表示させるステップは、装置に備わっているディスプレイ上で情報を表示するステップ、別個の装置に情報を送信するステップなどを含むことができる。例えば、装置は、別個のディスプレイ、コンピュータ、ラップトップ、移動体装置などに情報を送信することができる。例えば、装置は、情報を表示するクライアント装置に対して情報を送信することによって情報を表示させるサーバーであることができる。このようにして、情報を表示させるステップは、情報を含む別個の装置に対して１つ以上のメッセージを送信するステップ、情報を別個の装置にストリーミングするステップなどを含むことができる。電子装置は、入力デバイス１３を含むことができる。入力デバイス１３は、光センサー、近接センサー、マイクロホン、タッチ・センサー、力センサー、ボタン、キーパッド、モーション・センサー、磁場センサー、カメラなどを含むことができる。タッチ・センサーおよびディスプレイを、タッチ・ディスプレイとして特徴付けすることができる。タッチ・ディスプレイを含む実施形態において、タッチ・ディスプレイは、単一の接触点、多数の接触点などからの入力を受信するように構成されることができる。このような実施形態において、タッチ・ディスプレイおよび／またはプロセッサは、少なくとも部分的に位置、モーション、速度、接触面積などに基づいて、入力を決定する。少なくとも１つの例示的実施形態において、装置は、入力の標示を受信する。装置は、センサー、ドライバ、別個の装置などから標示を受信することができる。入力を示す情報は、入力を示す情報、入力の一態様を示す情報、入力の発生を示す情報などを搬送する情報を含むことができる。
【００６４】
電子装置１０は、抵抗性、容量性、赤外線、歪みゲージ、表面波、光学的画像形成、分散信号技術、音響パルス認識または他の技術のいずれかによるタッチ認識を可能にし、次にタッチに結び付けられたロケーションおよび他のパラメータを表わす信号を提供するように構成されているさまざまなタッチ・ディスプレイのうちのいずれかを含むことができる。さらに、タッチ・ディスプレイは、選択物体（例えば指、スタイラス、ペン、鉛筆または他のポインティング・デバイス）とタッチ・ディスプレイの間の実際の物理的接触として定義できるタッチ事象の形での入力の標示を受信するように構成されることができる。代替的には、タッチ事象は、タッチ・ディスプレイとの物理的接触がなされなくても、タッチ・ディスプレイの近くに選択物体を持ってくること、表示された物体全体にわたるホバリングまたは、既定の距離内で物体に接近すること、として定義することができる。したがって、タッチ入力は、実際の物理的接触が関与するタッチ事象および物理的接触は関与しないもののタッチ・ディスプレイに対する選択物体の近接性の結果などタッチ・ディスプレイによって他の形で検出されるタッチ事象を含めたタッチ・ディスプレイによって検出されるあらゆる入力を含むことができる。タッチ・ディスプレイは、タッチ入力と関連してタッチ・スクリーンに適用される力に関連する情報を受信する能力を有することができる。例えば、タッチ・スクリーンは、重押圧タッチ入力と軽押圧タッチ入力を区別することができる。少なくとも１つの例示的実施形態において、ディスプレイは、２次元情報、３次元情報などを表示することができる。
【００６５】
キーパッドを含む例示的実施形態において、キーパッドは、電子装置１０を動作させるために、数字キー（例えば０〜９）、記号キー（例えば＃、*）、文字キーなどを備えることができる。例えば、キーパッドは従来のＱＷＥＲＴＹキーパッド配置を備えることができる。キーパッドは、同様に、付随する機能を伴うさまざまなソフト・キーをも備えることができる。付加的に、または代替的に、電子装置１０は、ジョイスティックまたは他のユーザ入力インターフェースなどのインターフェース・デバイスを含むことができる。
【００６６】
入力デバイス１３は、媒体捕捉要素を備えることができる。媒体捕捉要素は、記憶、表示または伝送のために画像、映像および／または音声を捕捉するためのあらゆる手段であることができる。例えば、媒体捕捉要素がカメラ・モジュールである少なくとも１つの例示的実施形態において、カメラ・モジュールは、捕捉画像からデジタル画像ファイルを形成できるデジタル・カメラを含むことができる。したがって、カメラ・モジュールは、例えばレンズまたは他の光学コンポーネントなどのハードウェア、および／または捕捉画像からデジタル画像ファイルを作成するためのソフトウェアを含むことができる。代替的には、カメラ・モジュールが画像をビューイングするためのハードウェアのみを備えることができる一方、電子装置１０のメモリ・デバイスは捕捉画像からデジタル画像ファイルを作成するためのソフトウェアの形でプロセッサ１１による実行用の命令を記憶する。少なくとも１つの例示的実施形態において、カメラ・モジュールはさらに、画像データなどのデータを処理するためにプロセッサ１１とは別個の処理用要素を備えることができる。カメラ・モジュールは、画像データなどのデータをさまざまなフォーマットのうちの１つ以上のフォーマットで提供することができる。少なくとも１つの例示的実施形態において、カメラ・モジュールは、画像データを圧縮および／または解凍するためにエンコーダ、デコーダなどを備える。エンコーダおよび／またはデコーダは、例えばｊｏｉｎｔ  Ｐｈｏｔｏｇｒａｐｈｉｃ  Ｅｘｐｅｒｔｓ  Ｇｒｏｕｐ（ＪＰＥＧ）標準フォーマットなどの標準フォーマットにしたがってエンコードおよび／またはデコードすることができる。
【００６７】
図２Ａ〜２Ｃは、少なくとも１つの例示的実施形態に係る装置を例示する略図である。図２Ａ〜２Ｃの実施例は単なる例にすぎず、クレームの範囲を限定するものではない。例えば、装置の構成は変動でき、装置のタイプも変動でき、装置のサイズも変動できる。
【００６８】
多くの状況において、ユーザは、ユーザの一日全体を通して電子装置との対話を所望することができる。例えばユーザは、メッセージ、通知、Ｅメール、警報、電話呼出しなどに関連する標示の把握を所望することができる。このような例において、ユーザは、ユーザにとって容易で便利な方法で電子装置を利用することを所望できる。例えば、ユーザは、自らの手の中に電子装置を保持することを回避すること、通知の受信時点で電子装置を後続して検索するためだけに自らのポケット内に電子装置を保管しておくのを避けること、などを所望することができる。これらのような状況においては、装置がウェアラブル装置であることが望まれる可能性がある。ウェアラブル装置とは、装置のユーザによって装着されるように構成されている装置を意味することができる。例えば、ウェアラブル装置は、リング装置、ブレスレット装置、ネックレス装置などであることができる。装置を装着しているユーザは、装置のユーザ、装置の装着者などと呼ぶことができる。
【００６９】
いくつかの状況下では、装置がウェアラブルであるためには、その装置がハウジングを備えることが望まれる可能性がある。例えば、ハウジングは、より小さい占有面積内で装置の全体的サイズ、フォーム・ファクターなどを保ちながら、装置をウェアラブルにすることを可能にできる。例えば、装置のハウジングを、装置のユーザの身体部分と少なくとも部分的に接触するように構成することができる。例えば、ハウジングは、身体部分を少なくとも部分的に取り巻くことによって、この身体部分と部分的に接触することができる。例えば、ハウジングは、装置がそのユーザの指、手首、首などを少なくとも部分的に取り巻くことができるように、リング、ブレスレット、ネックレス、ペンダントなどの形状で構成されることができる。ハウジングのこのような構成を、ウェアラブル・ハウジングと呼ぶことができる。ハウジングは、装置の嵩をハウジング内に格納可能となるように装置の付加的コンポーネントを収容することができる。少なくとも１つの例示的実施形態において、装置は、装置のユーザの身体部分と少なくとも部分的に接触するように構成されているハウジングを備える。
【００７０】
図２Ａは、装置２００の少なくとも一部分を例示する略図である。図２Ａの実施例では、装置２００はハウジング２０２およびディスプレイ２０４を備える。図２Ａの実施例を見ると、ハウジング２０２が、リング構成を有することが分かる。ハウジング２０２は、ハウジング２０２のユーザの指を少なくとも部分的に取り巻くように構成されている。このようにして、ハウジング２０２をウェアラブル・ハウジングと呼ぶことができる。例えば、装置２００のユーザは、ハウジング２０２を装着したときにディスプレイ２０４をビューイングできるように、ユーザの指の上にハウジング２０２を装着することができる。図２Ａの実施例は、装置２００の少なくとも一部分を例示するものとして説明されているものの、いくつかの状況下では、図２Ａが装置２００全体を示すこともできるということを理解すべきである。
【００７１】
図２Ｂは、装置２１０の少なくとも一部分を例示する略図である。図２Ｂの実施例では、装置２１０は、ハウジング２１２、ディスプレイ２１４および、取外しまたは交換可能で調整することのできるリスト・ストラップ２１６を備える。図２Ｂの実施例を見ると、装置２１０の少なくとも一部分がブレスレット構成、腕時計構成などを有することが分かる。ハウジング２１２は、ハウジング２１２のユーザの手首を少なくとも部分的に取り巻くように構成されている。このようにして、ハウジング２１２をウェアラブル・ハウジングと呼ぶことができる。例えば、装置２１０のユーザは、ハウジング２１２を装着したときにディスプレイ２１４をビューイングできるように、ユーザの手首の上にハウジング２１２を装着することができる。図２Ｂの実施例は、装置２１０の少なくとも一部分を例示するものとして説明されているものの、いくつかの状況下では、図２Ｂが装置２１０全体を示すこともできるということを理解すべきである。
【００７２】
図２Ａおよび２Ｂの実施例は、指装着式装置および手首装着式装置を例示しているものの、装置はユーザの他の身体部分上で装着および／または使用されるように構成されることができる、ということを理解すべきである。例えば、装置をユーザの首、ウエスト、頭、足首、四肢、つま先などの周りで使用および／または装着するように構成することができる。
【００７３】
多くの状況下で、ユーザは、電子装置を通して通信することを所望する場合がある。例えば、ユーザは、メッセージを送信および／または受信し、他の装置と対話し、情報を送信および／または受信することなどを所望することができる。このような体験を容易にするために、多くの状況下で、２つ以上の装置間での通信を可能にすることが望ましい場合がある。例えば、装置と別個の装置との間の通信を可能にすることが望ましい場合がある。このような例では、装置および別個の装置の各々は、電話、タブレット、コンピュータ、ラップトップ、電子装置、サーバー、ウェアラブル装置、ヘッド・マウント装置、プロジェクター、ニア・アイ・ディスプレイなどであることができる。少なくとも１つの例示的実施形態において、装置および別個の装置は、直接通信チャネル、間接通信チャネルなどを介して通信する。このような例示的実施形態において、間接通信チャネルは、１つ以上のルーター、スイッチ、ハブ、配信サーバー、ネットワークなどを通して、装置と別個の装置との間の通信をルーティングすることができる。少なくとも１つの例示的実施形態において、装置および別個の装置は、サーバーを通して、無線および／または有線の間接通信チャネルを介して通信する。このような例示的実施形態において、サーバーは、コンピュータ、サービス・プラットホーム、レポジトリ、アプリケーションなどであることができる。例えば、サーバーは、別個の装置がサーバーを介してアカウントにアクセスすることによって装置から情報を受信できるように、別個の装置と結び付けられたアカウントを更新するように構成されることができる。
【００７４】
図２Ｃの実施例において、装置２２０は、通信チャネル２２２を通して、直接的または間接的に、装置２２４と通信することができる。例えば、装置２２０は、情報を装置２２４に送信することができ、装置２２０は装置２２４から送信された情報を受信することができる、等々。図２Ｃの実施例は、装置２２０と装置２２４の間の直接通信チャネルを例示しているものの、装置２２０と装置２２４の間の通信を容易にする中間装置も存在できるということを理解すべきである。例えば、装置２２０と装置２２４の間の通信チャネル内で利用される１つ以上のルーター、ハブ、スイッチ、ゲートウェイ、基地局、ネットワークなどが存在できる。通信チャネル２２２は、任意の数の有線および／または無線セグメントを含むことができる。さらに、装置２２０および／または装置２２４と通信状態にある１つ以上の別個の装置が存在できる。例えば装置２２０および／または装置２２４は、別の装置、別個の装置、異なる装置などと通信状態にあることができる。図２Ｃの実施例はウェアラブル装置としての装置２２０を例示しているものの、装置２２０は、ウェアラブル装置、非ウェアラブル装置、移動体デバイスなどの異なる構成など、任意のタイプの装置であることができるということを理解すべきである。図２Ｃの実施例は、移動体デバイスとして装置２２４を例示しているものの、装置２２４は、ウェアラブル装置、非ウェアラブル装置、非移動体デバイスなどの任意のタイプの装置であることができるということを理解すべきである。
【００７５】
多くの状況において、装置および別個の装置との通信の間、装置が情報を共有することが望ましい場合がある。例えば、装置間で共有される情報は、通信を容易にする一助となることができ、装置のユーザに対し有用な情報を提供することができる、等々。装置および別個の装置の間で共有される情報は、装置についての情報、別個の装置についての情報、装置のユーザについての情報、別個の装置のユーザについての情報、などを含むことができる。例えば、装置および別個の装置は、別個の装置のロケーションに関わる情報、別個の装置の現行の動作条件、装置が捕捉した情報、装置が記録した情報、装置が測定した情報などを共有することができる。少なくとも１つの例示的実施形態において、装置と別個の装置間で共有される情報は、画像を含む。例えば、装置および別個の装置は、図１に関して説明されたものと類似の装置および／または別個の装置によって捕捉された画像を共有することができる。
【００７６】
いくつかの状況において、複数の装置が、装置間の局所的通信を通して情報を共有することができる。例えば、装置は、低出力無線周波数通信（例えば、Ｂｌｕｅｔｏｏｔｈ（登録商標）Ｌｏｗ  Ｅｎｅｒｇｙ  ｉｎ  Ｂｌｕｅｔｏｏｔｈ（登録商標）４．０、ＡＮＴ＋通信プロトコルなど）、無線周波数通信、近距離無線通信、誘導無線通信、電界通信、Ｂｌｕｅｔｏｏｔｈ通信、赤外線通信、ローカル・エリア・ネットワーク通信、無線ローカル・エリア・ネットワーク通信、ローカル・ポート通信、入出力ポート通信などによって情報を共有することができる。いくつかの状況において、装置は、装置間の非ローカル通信を通して情報を共有することができる。例えば、装置は、高出力無線周波数通信、広域ネットワーク通信、インターネット通信、セルラー・ネットワーク通信などを通して通信することができる。少なくとも１つの例示的実施形態において、装置は、別個の装置との通信に関連する情報を保持する。例えば、装置は、別個の装置を識別すること、別個の装置と通信すること、別個の装置を認証すること、別個の装置での認証を行なうことなどに関連する情報を含むことができる。このようにして、装置は、異なる装置には行なう特権が無い可能性のある別個の装置と連動した動作を行なう特権を有することができる。
【００７７】
図３Ａ〜３Ｄは、少なくとも１つの例示的実施形態に係る皮膚抵抗測定を例示する略図である。図３Ａ〜３Ｄは、単なる一例にすぎず、クレームの範囲を限定するものではない。例えば、電極の位置は変動でき、電極のサイズも変動でき、電極の形状も変動できる、等々。
【００７８】
導電体が測定可能な抵抗および、この抵抗の逆数である関係する測定可能なコンダクタンスを有することが、知られている。抵抗は、電流に対する導電体の抵抗力を意味し、一方コンダクタンスは、導電体内の電流の通り易さを意味する。全ての材料は、測定可能な電気抵抗レベルおよび測定可能なコンダクタンス・レベルを有する。例えば、銅の電気抵抗は、オーム計などの電気抵抗測定回路を用いて測定することができる。本明細書中に記載の主題は、皮膚抵抗および／または皮膚コンダクタンスを測定しこれを使用するために応用可能である。簡略化を期して、いくつかの実施例では、皮膚抵抗のみが記載されている。しかしながら、該当する場合、皮膚抵抗を用いた説明は、皮膚コンダクタンスなどにも適用可能であるということを理解すべきである。
【００７９】
動物の身体（例えば人体）は、皮膚抵抗を有するものとして知られている。皮膚抵抗は、電流に対する皮膚の抵抗力を意味することができる。同様にして、身体は、皮膚抵抗の逆数である皮膚コンダクタンスを有するものとして知られている。皮膚コンダクタンスは、皮膚の中を電流が通過できる容易さを意味することができる。皮膚抵抗および／または皮膚コンダクタンスは測定可能である。例えば、皮膚の一部分の抵抗は、第１の電極と第２の電極を皮膚上の２つの異なる点と接触した状態に置き、回路を用いて電極間の抵抗を測定することによって測定することができる。回路は、第１の電極と第２の電極の間の皮膚抵抗を測定するように構成されることができる。このような回路を、皮膚抵抗測定回路と呼ぶことができる。電極は、回路とユーザの皮膚を電気的に結合させるかまたは接触させるように構成された導電体を意味することができる。電極は電気コネクタと異なるものであることができるということを理解すべきである。一般に、回路の非金属または非導電性部分（例えば身体の皮膚の一部分）と接触するためには、電極を使用することができ、一方、回路の２つの金属部分（例えばプラグおよびジャック）を接合するのは、典型的に、電気コネクタである。
【００８０】
図３Ａの実施例において、第１の電極３０２は、手３００の指または親指（例えば人差し指）の皮膚と接触状態にあり、第２の電極３０４は、手３００の別の指（例えば中指）の皮膚と接触状態にあり、こうして、第１の電極３０２と第２の電極３０４の間の手３００の皮膚抵抗を測定することができるようになっている。例えば、測定可能な皮膚抵抗を伴う電気路３０６が、第１の電極３０２と第２の電極３０４の間で手３００の皮膚の上および／または中に存在することを理解すべきである。第１の電極３０２および第２の電極３０４はリング構成で例示されているものの、第１の電極３０２および第２の電極３０４はどのような電極構成でもあり得ることを理解すべきである。手３００は、単なる一例にすぎない。本明細書中に記載の主題は、ヒトまたはヒト以外の動物の身体の任意の１つまたは複数の部分に適用または使用可能である。
【００８１】
図３Ｂの実施例において、回路３１４は、第１の電極３１０と第２の電極３１２の間の抵抗を測定するように構成されている。例えば、回路３１４は、電極が身体の異なる点（例えば皮膚上）に設置されている場合に第１の電極３１０と第２の電極３１２の間の皮膚抵抗を測定するために使用される回路であることができる。例えば、第１の電極３１０および第２の電極３１２は、図３Ａの実施例中の手３００の上における第１の電極３０２および第２の電極３０４の設置と同様に、手の異なる指の上に位置付けされるかまたはこれらの異なる指と接触した状態にあることができる。回路３１４には「Ｓｉｇｎａｌ  Ｐｒｏｃ」とラベル付けされているが、回路３１４は、コンダクタンス測定回路、抵抗測定回路、オーム計、導電率計、マルチメーターなどの任意のタイプの回路であることができるということを理解すべきである。
【００８２】
図３Ｂの実施例において、回路３１４は、インターフェース・モジュール３１６とインターフェースされている。インターフェース・モジュール３１６は、図１、図２Ａ〜２Ｃなどに関連して説明されたものと類似の装置であることができる。いくつかの実装では、インターフェース・モジュール３１６は、図１、図２Ａ〜２Ｃなどで説明されている例示的装置と異なるものであることができる。インターフェース・モジュール３１６は、図１に示されたコンポーネントまたはユニットの異なるセットまたはサブセットを含むことができる。例えば、インターフェース・モジュール３１６は、通信デバイス１５、プロセッサ１１、メモリ１２、バッテリ、通信接続（例えば回路３１４などとの通信またはインターフェース用）の１つ以上を含むことができる。インターフェース・モジュール３１６は、アンテナ、電源（例えばバッテリまたは体温および／または身体動作からの発電機）、処理用モジュール（例えばチップ上のシステム）、通信インターフェース（例えば低エネルギーＢｌｕｅｔｏｏｔｈなど）、クリスタルなどの任意の組合せを含むことができる。インターフェース・モジュール３１６は、回路３１４から第１の電極３１０と第２の電極３１２の間の抵抗（例えば皮膚抵抗）を示す情報を受信することができる。このようにして、第１の電極３１０と第２の電極３１２の間の皮膚抵抗などの抵抗を示す情報を、図２Ａ〜２Ｃに関して説明されたものと同様、１つ以上の別個の装置に対して通信することができる。
【００８３】
図３Ｃの実施例は、例示的回路（例えば回路３１４の例示的実装）を例示する。図３Ｃの実施例において、例示的回路は、第１の電極３２０と第２の電極３２２の間の皮膚抵抗を測定するように構成されている。例えば、例示的回路は、電極が皮膚上の異なる点に設置されている場合の第１の電極３２０と第２の電極３２２の間の皮膚抵抗を測定することができる。例えば第１の電極３２０および第２の電極３２２は、図３Ａの実施例中の手３００の上の第１の電極３０２および第２の電極３０４の設置と同様、手の異なる指の上に位置付けされることができる。図３Ｃの例示的回路が、演算増幅器３２６、３２８および３３０；接地点３２４、３３２および３３４；抵抗器３４０、３４２、３４６、３４８、３５０、３５２、３５４および３５６；およびインバータ３３６、３３８および３５８を含むことが分かる。図３Ｃの実施例は、特定の例示的回路を示しているものの、他の回路構成、異なるタイプの回路（例えば皮膚抵抗を測定するのに特定的に設計された回路）、汎用回路などを用いて、皮膚抵抗を測定することができる。いくつかの実装においては、ファームウェアなどのソフトウェアを回路上で実行することができる。
【００８４】
図３Ｃの実施例において、例示的回路は、インターフェース・モジュール３６０とインターフェースされる。インターフェース・モジュール３６０は、図３Ｂのインターフェース・モジュール３１６に関連して説明されているものと類似の装置であることができる。インターフェース・モジュール３６０は、図３Ｃの例示的回路から第１の電極３２０と第２の電極３２２の間の皮膚抵抗を示す情報を受信することができる。このようにして、第１の電極３２０と第２の電極３２２の間の皮膚抵抗などの抵抗を示す情報を、図２Ａ〜２Ｃおよび図３Ｂに関して説明されているものと同様に、別個の装置に対し通信することができる。
【００８５】
いくつかの状況において、電極は、先に説明したものとは異なる皮膚の部分から皮膚抵抗を測定するように構成されることができる。例えば、第１の電極を指上に設置する一方で第２の電極を手首上に設置でき、第１および第２の電極を相対する四肢の上に設置することができる、等々。このようにして、皮膚抵抗を身体の異なる部分に沿って測定することができる。
【００８６】
図３Ｄの実施例において、第１の電極３７２は、人３７０の右手人差し指の皮膚と接触状態にあり、第２の電極３７４は、人３７０の左手首の皮膚と接触状態にあり、こうして、電気路３７６が形成された場合（例えば電極３７２および３７４が、図３Ｃ内の回路の電極３２０および３２２などの同じ回路の部分である場合）に第１の電極３７２と第２の電極３７４の間の人３７０の皮膚抵抗を測定することができるようになっている。例えば、測定可能な皮膚抵抗を伴う電気路３７６が、第１の電極３７２と第２の電極３７４の間において人３７０の皮膚の上および／または中に存在することを理解すべきである。第１の電極３７２および第２の電極３７４はリング構成およびブレスレット構成で例示されているものの、第１の電極３７２および第２の電極３７４がいかなる電極構成でもあり得るということを理解すべきである。
【００８７】
さまざまな要因が皮膚の抵抗および／またはコンダクタンスに影響を及ぼし得ることが知られている。例えば、皮膚上の汗の量、人の食習慣、健康レベル等々が、抵抗および／またはコンダクタンス測定値の変動をひき起こす可能性がある。皮膚抵抗および／または皮膚コンダクタンスの経時的変動を、電気皮膚反応と呼ぶことができる。人の電気皮膚反応は、人の気分、外部刺激に対する反応などによって影響される。例えば、人の発汗度は、人の交感神経系により影響される。このようにして、交感神経系は、電気皮膚反応に影響を及ぼすことができる。いくつかの状況においては、人の電気皮膚反応を決定することが好ましい場合がある。例えば、人の気分、人に対する外部刺激の効果などを決定するために、人の電気皮膚反応の決定を用いることができる。少なくとも１つの例示的実施形態において、装置は人の電気皮膚反応を決定する。少なくとも１つの例示的実施形態において、電気皮膚反応の決定は、少なくとも部分的に、その人の皮膚抵抗の経時的変動に基づく。
【００８８】
例えば、図３Ｃの例示的回路などの回路は、経時的に人の定期的皮膚抵抗測定値を取ることができる。これらの定期的測定値は、人の電気皮膚反応を決定するために使用することができる。少なくとも１つの例示的実施形態において、電気皮膚反応の決定は、少なくとも部分的に、既定の皮膚抵抗値との皮膚抵抗の差に基づく。例えば、既定の皮膚抵抗値は、予め測定された値、平均値、典型値、較正値などであることができる。
【００８９】
近年、装置のユーザは自らの健康の各側面を監視するために専有の装置を使用することが増々多くなっている。例えば、ユーザはそのカロリー摂取量を追跡し、ユーザが歩いた距離を監視し、ユーザのバイタルサインを記録する等のために、移動体デバイス、ウェアラブル、デバイスなどの上のアプリケーションを利用することができる。これらのような状況下では、装置がユーザの電気皮膚反応を示す情報を受信することが望ましい場合がある。こうして、装置は、ユーザの電気皮膚反応を監視し、ユーザの電気皮膚反応を追跡し、ユーザの電気皮膚反応を決定する等のためにこの情報を使用することができる。例えば、装置は、回路を通して電気皮膚反応を示す情報を受信することができる。電気皮膚反応を示す情報は、皮膚抵抗、皮膚抵抗の変動、決定された電気皮膚反応から導出される情報などであることができる。少なくとも１つの実施形態において、装置は回路を含む。少なくとも１つの例示的実施形態において、装置は通信チャネルを通して電気皮膚反応を示す情報を受信する。装置および通信チャネルは、図１、図２Ａ〜２Ｃなどに関連して説明したものと類似のものであることができる。
【００９０】
図４Ａ〜４Ｊは、少なくとも１つの例示的実施形態に係るハウジングを例示する略図である。図４Ａ〜４Ｊの実施例は単なる一例にすぎず、クレームの範囲を限定するものではない。例えば、ハウジングの構成は変動でき、ハウジングの形状も変動でき、ハウジングのサイズも変動でき、電極の構成および／または配置も変動できる、等々。図４Ａ〜４Ｊ中のいずれの例示的ハウジングも、電極３１０および３１２、回路３１４、インターフェース・モジュール３１６および／または他のコンポーネント、モジュールまたはデバイスを収容することができる。
【００９１】
前述のように、装置はハウジングを備えることができる。例えば、装置は、装置のユーザの身体部分と接触状態にあるかまたはこの身体部分を少なくとも部分的に取り巻くように構成されたハウジングを備えることができる。図４Ａの実施例は、装置のユーザ４００が装着している装置４０２を例示する。装置４０２は、装置４００のユーザの薬指を少なくとも部分的に取り巻くように構成されたハウジングを備えることが分かる。同様にして、図４Ｂの実施例は、装置４０４のユーザが装着している装置４０６を例示する。装置４０６は、装置のユーザ４０４の手首を少なくとも部分的に取り巻くように構成されたハウジングを備えることが分かる。
【００９２】
前述のように、いくつかの状況において、装置のユーザは、図３Ａ〜３Ｄに関連して説明されているものと同様に、ユーザの電気皮膚反応を決定することを所望することができる。これらのような状況においては、装置のハウジングがユーザの皮膚抵抗を測定するための電極を含むことが望ましい場合がある。例えば、ハウジング内に電極を組込むことで、電気皮膚反応を決定するために使用される装置の嵩を削減することができ、内蔵型装置を可能にすることができる、等々。少なくとも１つの例示的実施形態において、装置は、ハウジング、第１の電極、第２の電極、および第１の電極と第２の電極の間の皮膚抵抗を測定するように構成された少なくとも１つの回路を備える。
【００９３】
典型的な状況下では、２つの電極間の皮膚抵抗を測定する場合、測定値は、第１の電極と第２の電極が互いに電気的に絶縁されている場合に最も精確である。したがって、第１の電極および第２の電極が電気絶縁材料によって分離されるように、第１の電極および第２の電極を備えたハウジングを構成することが望ましい場合がある。本明細書中で使用される「電気絶縁材料」なる用語には、空間、空気、非導電性または絶縁体材料（例えば、発泡材、ゴム、プラスチック、セラミックなど）などの任意の材料が含まれる。「電気絶縁材料」は同様に、半導体材料（すなわち非導電状態にある）も含むことができる。例えば、ハウジングは、内部表面と外部表面を備えることができる。ハウジングの内部表面上には第１の電極を配置でき、ハウジングの外部表面上には第２の電極を配置することができる。このような実施例において、ハウジングの内部表面上に配置された電極およびハウジングの外部表面上に配置された電極は、電気絶縁材料により分離されることができる。電気絶縁材料とは、電荷が中を自由に流れない材料を意味することができる。電気絶縁材料の例としては、ガラス、紙、テフロン、多くのポリマー、ファイバーグラス、ゴムなどの高抵抗率を有する材料が含まれる。装置のユーザの身体部分を取り巻くように構成されたハウジングに関しては、内部表面は、身体部分と少なくとも部分的に接触するように構成されたハウジングの表面を意味することができ、外部表面は、身体部分との接触を回避するように構成されたハウジングの表面を意味することができる。例えば、装置のハウジングがリングとして構成されている場合、指に接触するリングの内部部分は内部表面を構成でき、リングの表面の残りの部分は外部表面を構成することができる。
【００９４】
図４Ｃの実施例は、装置のユーザの身体部分と接触状態にあるかまたはこの身体部分を少なくとも部分的に取り巻くように構成されたハウジングの斜視図を例示する。例えば、身体部分は、指、手首、足首、首、ウエスト、頭、四肢、つま先、胴などのうちの少なくとも１つであることができる。図４Ｃの実施例において、ハウジングは外部表面４１２および内部表面４１４を備える。
【００９５】
図４Ｃの実施例において、外部表面４１２の少なくとも一部分の上に電極が配置されていることを理解すべきである。ハウジングの外部表面上に配置された電極を、外部電極と呼ぶことができる。図４Ｃの実施例において、外部電極は、内部表面４１４上への配置は除外して、外部表面４１２の少なくとも一部分の上に配置されるということを理解すべきである。このようにして、図４Ｃのハウジングの外部電極は、内部表面４１４のいずれの部分の上にも配置されることができない。外部表面４１２および内部表面４１４の各々は、１つ以上の導電性材料で作られているか、それにより完全にまたは部分的にコーティングまたはカバーされることができる（導電性表面）か、または１つ以上の電気絶縁材料で作られているか、それにより完全にまたは部分的にコーティングまたはカバーされることができる（絶縁性表面）か、または、導電性表面および絶縁性表面の任意の組合せ領域を含むことができる。導電性表面は、いくつかの実装において電極として使用されることができる。
【００９６】
図４Ｃの実施例においては、電極が内部表面４１４の少なくとも一部分の上に長手方向に配置されることを理解すべきである。このようにして、内部表面４１４上に配置された電極は、長手方向に隣接している。ハウジングの内部表面上に配置された電極を、内部電極と呼ぶことができる。図４Ｃの実施例において、内部電極は、外部表面４１２上への配置は除外して、内部表面４１４の少なくとも一部分の上に配置される。このようにして、図４Ｃのハウジングの内部電極は、外部表面４１２のいずれの部分の上にも配置されることができない。
【００９７】
図４Ｃの実施例においては、外部表面４１２および内部表面４１４が材料４１８により距離４１６だけ分離されていることが分かる。図４Ｃの実施例では、材料４１８は、内部表面４１４上に配置された内部電極から外部表面４１２上に配置された外部電極を分離する電気絶縁材料であることを理解すべきである。このようにして、回路（例えば回路３１４）は、図４Ｇ−４Ｉに関して説明されているものと同様に、図４Ｃのハウジングが装着されたときの内部電極と外部電極の間の皮膚抵抗を測定することができる。皮膚抵抗および／または他の情報は、インターフェース・モジュール（例えばインターフェース・モジュール３１６）によって別の装置またはデバイスと通信させられることができる。回路および／またはインターフェース・モジュールは、図４Ｃのハウジング内のいずれの場所にでも収容されるかまたは埋込まれることができる（例えば、回路および／またはインターフェース・モジュールは、材料４１８の中に少なくとも部分的に埋込まれることができる）。
【００９８】
いくつかの状況において、ユーザは、別個の装置との通信とは独立して装置がユーザに対して皮膚抵抗測定値を知らせることを望む場合がある。これらのような状況下では、装置は、皮膚抵抗測定値を示す情報をユーザに対し直接通信することができる。例えば、装置は、装置に含まれるディスプレイ上に視覚インジケータを表示させることができ、装置に含まれる音発生デバイスにより可聴インジケータをレンダリングさせることができ、装置に含まれる触覚フィードバック・デバイスを通して触覚インジケータをレンダリングさせることができる、等々。集合的に、ディスプレイ・デバイス、音発生デバイス、触覚発生デバイスまたは高出力デバイスなどを、標示デバイスと呼ぶことができる。
【００９９】
いくつかの状況において、皮膚抵抗測定を示す情報は、皮膚抵抗測定の値を標示できる。例えば、視覚インジケータは、光出力および／または視覚的基準、例えばチャート、数字などを含むことができ、触覚インジケータは特定のリズムで振動することができ、可聴インジケータは特定の値で話すことができる、等々。このようにして、装置は、独立型装置として動作することができる。他の状況においては、皮膚抵抗測定を示す情報は、単に、測定が行なわれたことを標示することができる。例えば、単純な視覚インジケータが点滅することができ、聴覚インジケータが一般的なブザー音を発出することができる、等々。このようにして、ユーザは、測定について警報を受けることができ、ユーザは別の方法で測定値を決定することができる。例えば、ユーザは、さらなる詳細を提供する独立型装置上の異なるモードを活動化させることができ、ユーザは、装置に、別個の装置に値を通信させることができる、等々。独立型装置の例は、例えば、電極３１０および３１２、回路３１４、および任意のインターフェース・モジュール３１６（図３Ｂ）と同様のものを含む装置２００（図２Ａ）、装置２１０（図２Ｂ）などであることができる。
【０１００】
図４Ｃの実施例においては、外部表面４１２の少なくとも一部分が内部表面４１４の少なくとも一部分と同心であることが分かる。このようにして、外部表面４１２上に配置された外部電極（例えば電極３１０）の少なくとも一部分は、内部表面４１４上に配置された内部電極（例えば電極３１２）の少なくとも一部分と同心である。図４Ｃの実施例においては、材料４１８が外部表面４１２および内部表面４１４と同心であることが分かる。このようにして、材料４１８は、図４Ｃの内部電極と外部電極の間の同心的分離を形成する。
【０１０１】
図４Ｃに関して説明したものと類似のハウジングのコンポーネントは、特定の利用分野に応じてさまざまな寸法、さまざまな材料などで製造可能であるということを理解すべきである。例えば、リングとして構成されたハウジングは、平均的リングに類似のサイズの内部表面を有することができ、一方、ブレスレットとして構成されたハウジングは、女性の平均的手首、男性の平均的手首などのサイズおよび形状に対応するようにサイズ決定された内部表面を有することができる。別の実施例において、ハウジングは、特定の標準的リングまたはブレスレットのサイズに合わせて構成されることができ、調整可能なサイズをもたせて構成されることができる、等々。同様にして、内部表面と外部表面の間の間隔は、絶縁性材料の特定の厚みおよび／または長さだけ分離されていることができる。例えば、電極間の一定の間隔によって、電極間のキャパシタンスの減少、電極間の短絡の機会の減少などが達成できる。
【０１０２】
いくつかの状況において、皮膚抵抗を測定するとき、電極はより大きな皮膚部分の接触による恩恵を享受することができる。これらのような状況下では、リングなどのハウジングが連続的にドーナツ形の形状を有することが望ましい場合がある。例えば、ハウジングの内部表面は、身体部分とより多く接触することができる。このようにして、ハウジングに沿って配置された電極は、身体部分とより良好に電気的に接触することができる。
【０１０３】
図４Ｄの実施例は、装置のユーザの身体部分を完全に取り巻くように構成された連続的にドーナツ形の形状を有するハウジングの断面図を例示する。例えば、図４Ｄのハウジングは、リングとしてサイズ決定することができ、図４Ｄのハウジングは、指を完全に取り巻くことができる。図４Ｄの実施例において、ハウジング（これは図２Ａのハウジング２０２、図２Ｂのハウジング２１２などと類似であることができる）は、外部表面４２２および内部表面４２４を含む。図４Ｄの実施例において、電極（例えば電極３１０）は、外部表面４２２の少なくとも一部分の上に配置されていることを理解すべきである。図４Ｄの実施例において、電極（例えば電極３１２）が内部表面４２４の少なくとも一部分の上に配置されていることを理解すべきである。図４Ｄの実施例において、外部表面４２２および内部表面４２４は材料４２８により分離されていることが分かる。図４Ｄの実施例において、材料４２８は、内部表面４２４上に配置された内部電極から外部表面４２２上に配置された外部電極を分離する電気絶縁材料であるということを理解すべきである。このようにして、回路（例えば回路３１４）は、図４Ｇ〜４Ｉに関して説明されたものと同様、図４Ｄのハウジングが装着されたときの内部電極と外部電極の間の皮膚抵抗を測定することができる。皮膚抵抗および／または他の情報は、インターフェース・モジュール（例えばインターフェース・モジュール３１６）により別の装置またはデバイスと通信させられることができる。回路および／またはインターフェース・モジュールは、図４Ｄのハウジング内の任意の場所に収容されるまたは埋込まれることができる（例えば、回路および／またはインターフェース・モジュールを材料４２８内に少なくとも部分的に埋込むことができる）。
【０１０４】
図４Ｄのハウジングはほぼ完璧にドーナツ形の形状を伴って例示されているものの、図４Ｄのハウジングは、ドーナツ形の多面体形状、楕円体形状および卵形形状などの、不規則なドーナツ形および／または部分的にドーナツ形の形状を有することができるということを理解すべきである。図４Ｄの実施例において、外部表面４２２に対して垂直に存在するベクトル４２６は、内部表面４２４内を通過できず、一方内部表面４２４に対して垂直に存在するベクトル４３０は外部表面４２２内を通ることが分かる。このようにして、外部表面４２２を内部表面４２４から識別することができる。
【０１０５】
先に説明した通り、装置はディスプレイを備えることができる。例えば、装置は、ディスプレイ２０４に類似したディスプレイを含む図２Ａの装置２００と類似する構成を有することができ、ディスプレイ２１４に類似したディスプレイを含む図２Ｂの装置２１０に類似する構成を有することができる、等々。このようにして、装置は、先に説明したものと同様にして、独立型モードで動作することができ、装置は、装置に含まれるディスプレイ上に視覚インジケータを表示させることができ、装置に含まれる音発生デバイスにより可聴インジケータをレンダリングさせることができ、装置に含まれる触覚フィードバック・デバイスを通して触覚インジケータをレンダリングさせることができる、等々。これらのような状況下では、ディスプレイは、ハウジングが特定の向きで装着された場合に最も良く見える。例えば、リング構成を有するハウジング上のディスプレイは、ディスプレイが手の裏面とほぼ平行である状態にハウジングが向けられている場合に、最も良く見ることができる。これらのような状況下では、リングなどのハウジングがハウジングの外部表面からの外向きの突出部を有することが望ましい場合がある。例えば、ハウジングの外部表面からの外向き突出部をディスプレイなどのコンポーネントを収容するために用い、向きの触覚インジケータとして役立てることができ、ディスプレイ要素などを含ませることができる。
【０１０６】
図４Ｅの実施例は、外向きの突出部を有するハウジングの断面図を例示する。図４Ｅの実施例において、（図２Ａのハウジング２０２、図２Ｂのハウジング２１２などに類似するものであることのできる）ハウジングは、外部表面４３２および内部表面４３４を含む。図４Ｅの実施例では、電極（例えば電極３１０）が外部表面４３２の少なくとも一部分の上に配置されていることを理解すべきである。図４Ｅの実施例においては、電極（例えば電極３１２）が内部表面４３４の少なくとも一部分の上に配置されていることを理解すべきである。図４Ｅの実施例においては、外部表面４３２および内部表面４３４が材料４３８により分離されていることが分かる。図４Ｅの実施例においては、外部表面４３２および内部表面４３４が材料４３８により分離されていることが分かる。図４Ｅの実施例においては、材料４３８は、外部表面４３２上に配置された外部電極を内部表面４３４上に配置された内部電極から分離する電気絶縁材料である。このようにして、回路（例えば回路３１４）は、図４Ｇ〜４Ｉに関して説明されたものと同様に、図４Ｅのハウジングが装着されたときの内部電極と外部電極の間の皮膚抵抗を測定することができる。皮膚抵抗および／または他の情報は、別の装置またはデバイスと、インターフェース・モジュール（例えばインターフェース・モジュール３１６）により通信させられることができる。回路および／またはインターフェース・モジュールは、図４Ｅのハウジング内の任意の場所に収容されるまたは埋込まれることができる（例えば、回路および／またはインターフェース・モジュールを材料４３８内に少なくとも部分的に埋込むことができる）。
【０１０７】
図４Ｅの外向きの突出部は特定の形状で例示されているものの、図４Ｅのハウジングの外向きの突出部は任意の形状を有することができる、ということ理解すべきである。図４Ｅの実施例において、外部表面４３２に対して垂直に存在するベクトル４３６は、内部表面４３４内を通過できず、一方内部表面４３４に対して垂直に存在するベクトル４４０は外部表面４３２内を通ることが分かる。このようにして、外部表面４３２を内部表面４３４から識別することができる。図４Ｅのハウジングの外向きの突出部がベクトル４４２に直交する平担な形状を有することが分かる。このようにして、図４Ｅのハウジングの外向きの突出部は、この外向きの突出部がハウジングの向きの触覚インジケータとして役立つことができるように、外部表面４３２の残りの部分と全く異なっている。
【０１０８】
いくつかの状況において、ハウジングを含む装置のユーザは、ハウジングが多数の身体部分上で使用されることを所望することができる。例えば、ユーザは、異なるサイズの異なる指の上で、リングとして構成されたハウジングを使用することを望む場合がある。これらのような状況下では、リングなどのハウジングが、不連続的にドーナツ形の形状を有することが望ましい場合がある。例えば、不連続的にドーナツ形の形状を有するハウジングは、異なるサイズの身体部分に対応するように、さらに融通性の高い嵌合い調整などを有することができる。不連続的なドーナツ形の形状とは、ドーナツ形の形状の内部にギャップを含むドーナツ形形状を意味することができる。
【０１０９】
図４Ｆの実施例は、身体部分を完全に取り巻くことはなく、装置のユーザの身体部分を部分的に取り巻くように構成された不連続的にドーナツ形の形状を有するハウジングの断面図を例示する。例えば、図４Ｆのハウジングは、リングとしてサイズ決定することができ、図４Ｆのハウジングは、リングを完全に取り巻くことができる。図４Ｆの実施例において、ハウジング（これは図２Ａのハウジング２０２、図２Ｂのハウジング２１２などと類似であることができる）は、外部表面４５２および内部表面４５４を含む。図４Ｆの実施例において、電極（例えば電極３１０）は、外部表面４５２の少なくとも一部分の上に配置されていることを理解すべきである。図４Ｆの実施例において、電極（例えば電極３１０）が内部表面４５４の少なくとも一部分の上に配置されていることを理解すべきである。図４Ｆの実施例において、外部表面４５２および内部表面４５４は材料４５６により分離されていることが分かる。図４Ｆの実施例において、材料４５６は、内部表面４５４上に配置された内部電極から外部表面４５２上に配置された外部電極を分離する電気絶縁材料であるということを理解すべきである。このようにして、回路（例えば回路３１４）は、図４Ｇ〜４Ｉに関して説明されたものと同様に、図４Ｆのハウジングが装着されたときの内部電極と外部電極の間の皮膚抵抗を測定することができる。皮膚抵抗および／または他の情報は、別の装置またはデバイスと、インターフェース・モジュール（例えばインターフェース・モジュール３１６）により通信させられることができる。回路および／またはインターフェース・モジュールは、図４Ｆのハウジング内の任意の場所に収容されるまたは埋込まれることができる（例えば、回路および／またはインターフェース・モジュールを材料４５６内に少なくとも部分的に埋込むことができる）。
【０１１０】
図４Ｆのハウジングはほぼ完璧にドーナツ形の形状を伴って例示されているものの、図４Ｆのハウジングは、ドーナツ形の多面体形状、楕円体形状および卵形形状などの、不規則なドーナツ形の形状を有することができるということを理解すべきである。図４Ｆの実施例において、外部表面４５２に対して垂直に存在するベクトル４５８は、内部表面４５４内を通過できず、一方内部表面４５４に対して垂直に存在するベクトル４６０は外部表面４５２内を通ることが分かる。このようにして、外部表面４５２を内部表面４５４から識別することができる。図４Ｆのハウジングがギャップ４６２を有することが分かる。このようにして、図４Ｆのハウジングは、リングの形状でない形状を有する。
【０１１１】
図４Ｇの実施例は、図４Ａ〜４Ｆに関して説明されているものと類似の内部電極および外部電極を備えたハウジング４７２を使用するユーザ４７４を例示する。図４Ｇの実施例において、ハウジング４７２の内部電極は、ユーザ４７４の左手薬指の皮膚と接触した状態にあり、ハウジング４７２の外部電極はユーザ４７４の親指の皮膚と接触状態にあり、こうして、内部電極と外部電極の間のユーザ４７４の皮膚抵抗を測定できるようになっている。例えば内部電極と外部電極の両方（例えば両方の点）がユーザ４７４と接触状態にある場合、両方の点、すなわちハウジング４７２の内部電極と外部電極の間のユーザ４７４の皮膚上および／またはその中に測定可能な皮膚抵抗が存在するように、電気路４７０が形成されるということを理解すべきである。電気路４７０は、内部電極と外部電極の間でユーザ４７４を通る最短の電気路である確率が高い。
【０１１２】
図４Ｈの実施例は、図４Ａ〜４Ｆに関して説明されているものと類似の内部電極および外部電極を備えたハウジング４８２を使用するユーザ４８０を例示する。図４Ｈの実施例において、ハウジング４８２の内部電極は、ユーザ４８０の左手薬指の皮膚と接触した状態にあり、ハウジング４８２の外部電極はユーザ４８０の右手人差し指の皮膚と接触状態にあり、こうして、内部電極と外部電極の間のユーザ４８０の皮膚抵抗を測定できるようになっている。例えばハウジング４８２の内部電極と外部電極の間でユーザ４８０の皮膚の上および／または中には、測定可能な皮膚抵抗を有する電気路４８４が存在することを理解すべきである。
【０１１３】
図４Ｉの実施例は、図４Ａ〜４Ｆに関して説明されているものと類似の内部電極および外部電極を備えたハウジング４９２を使用するユーザ４９０を例示する。図４Ｉの実施例において、ハウジング４９２の内部電極は、ユーザ４９０の左手首の皮膚と接触した状態にあり、ハウジング４９２の外部電極はユーザ４９０の右手人差し指の皮膚と接触状態にあり、こうして、内部電極と外部電極の間のユーザ４９０の皮膚抵抗を測定できるようになっている。例えばハウジング４９２の内部電極と外部電極の間でユーザ４９４の皮膚の上および／または中には、測定可能な皮膚抵抗を有する電気路４９４が存在することを理解すべきである。
【０１１４】
本明細書の主題は、リングタイプの装置などに限定されない。リング形態、半リング形態および非リング形態の任意の形状の装置を実装することができる。例えば、いくつかの状況下では、ハウジングに含まれる電極が装置のユーザの一部分を取り巻くことのできない形状をハウジングが有することが望ましい場合がある。例えば、ユーザは、装置を装着することなく使用することを望む場合もあれば、チェーン、ネックレス、紐、飾り紐などの上のペンダンント形装置といった装置を装着することを所望する場合もある。
【０１１５】
図４Ｊの実施例は、例えば、ユーザ４９５の親指と１本の指の間など、ユーザの２つの部分の間に保持されている、例えばペンダントの形状を有するハウジングの断面図を例示する。図４Ｊの実施例において、ハウジングは、第１の表面４９７Ａおよび第２の表面４９７Ｂを備える。図４Ｊの実施例においては、第１の電極が第１の表面４９７Ａの少なくとも一部分の上に配置されていることを理解すべきである。図４Ｊの実施例においては、第２の表面４９７Ｂの少なくとも一部分の上に第２の電極が配置されていることを理解すべきである。リングタイプの装置についての本明細書中の説明が非リングタイプの装置にも適用可能であり、その逆も成り立つことを例証するために、表面４９７Ａおよび４９７Ｂのうちの一方を内部表面と呼び、他方の表面を外部表面と呼ぶことができる。同様にして、第１および第２の電極の一方を内部電極と呼び、他方を外部電極と呼ぶことができる。
【０１１６】
図４Ｊの実施例において、ハウジングの第１の電極は、例えばユーザ４９５の人差し指の皮膚と接触した状態で示され、ハウジングの第２の電極は、ユーザ４９５の親指の皮膚と接触した状態で示され、こうして第１の電極と第２の電極の間のユーザ４９５の皮膚抵抗（例えば経路４９８を通した）を測定することができるようになっている。測定可能な皮膚抵抗を有する電気路（例えば経路４９８）がハウジングの第１の電極と第２の電極の間に存在するということを理解すべきである。図４Ｊの実施例においては、第１の表面４９７Ａおよび第２の表面４９７Ｂが材料４９６によって分離されていることが分かる。図４Ｊの実施例では、材料４９６が、第２の表面４９７Ｂ上に配置された第２の電極から第１の表面４９７Ａ上に配置された第１の電極を分離する電気絶縁材料であるということを理解すべきである。このようにして、回路（例えば回路３１４）は、図４Ｊに例示されているものと同様に、図４Ｊのハウジングがユーザの２つの点と接触状態にあるときに第１の電極と第２の電極の間の皮膚抵抗を測定することができる。皮膚抵抗および／または他の情報は、インターフェース・モジュール（例えばインターフェース・モジュール３１６）により別の装置またはデバイスと通信させられることができる。回路および／またはインターフェース・モジュールは、図４Ｊのハウジング内の任意の場所に収容されおよび／または埋込まれることができる（例えば回路および／またはインターフェース・モジュールは少なくとも部分的に材料４９６中に埋込まれることができる）。
【０１１７】
いくつかの実装においては、材料４９６は、たとえ図４Ｊの断面図では見えないにせよ、表面４９７Ａおよび４９７Ｂの相対する側を除いて、全ての側で表面４９７Ａおよび４９７Ｂをカバーしている。このようにして、ユーザが、（例えば指をペンダント形状の装置の頂部を横断して置くことにより）非意図的に第１の表面４９７Ａと第２の表面４９７Ｂの間に電気路を不注意に創出する確率を低くすることができる。図４Ｊのハウジングは、ほぼ対称な形状で例示されているものの、図４Ｊのハウジングは不規則なおよび／または非対称な形状を有することができるということを理解すべきである。図４Ｊは、特定の方法で保持されている装置を例示しているものの、図４Ｊの装置は、ユーザのために皮膚抵抗を測定できる他の方法で保持または位置付けされることができる。例えば、ユーザは、左手の指が第１の電極と接触状態にあり、ユーザの別の部分、例えばユーザの顔面、腕、右手の指などが第２の電極と接触状態にあるように、図４Ｊの装置を保持することができる。
【０１１８】
図４Ｊの実施例において、材料２９６が、第１の表面４９７Ａおよび第２の表面４９７Ｂを距離４９９だけ分離していることが分かる。このようにして、第１の電極と第２の電極の間で測定された電気抵抗は、距離４９９よりも長い電気路を有することができなければならない。例えば、図４Ｊの実施例中、電気路４９８が距離４９９よりも長いことが分かる。このようにして、距離４９９よりも長い電気路４９８により、距離４９９と一致する電気路に比べて、より整合性のある皮膚抵抗測定、より正確な皮膚抵抗測定などが可能になる。
【０１１９】
図４Ｈ−４Ｊは、ユーザのいずれかの２つの部分が装置上の電極（例えば、それぞれ内部表面および外部表面上の内部電極および外部電極）と直接的および／または間接的に接触状態にあるとき、ユーザを通って電極と共に形成される最短の電気路（例えば経路３０６、４７０、４８４、４９４、４９８または別の経路）は、装置を通るいずれの経路よりも長くなることを示している。
【０１２０】
図４Ａ〜４Ｊは、皮膚抵抗を測定できる特定の接触点および特定の電気路を示すものの、図４Ａ〜４Ｊの実施形態は単なる一例にすぎず、皮膚抵抗の測定のためには他の皮膚経路および／または接触点を使用することができる、ということを理解すべきである。
【０１２１】
図５Ａ〜５Ｅは、少なくとも１つの例示的実施形態に係る別個のハウジングを例示する略図である。図５Ａ〜５Ｅの実施例は単なる一例であり、クレームの範囲を限定するものではない。例えば、ハウジングの構成は変動でき、ハウジングの形状も変動でき、ハウジングのサイズも変動できる、等々。
【０１２２】
前述の通り、いくつかの状況下では、皮膚抵抗は、内部電極および外部電極を備えたハウジングを通して測定することができる。図４Ａ〜４Ｉに関連して説明されているような状況においては、内部電極のみがユーザの本体の一部分を完全に取り巻くことができる。いくつかの状況において、他の電極が、図４Ａ〜４Ｉの実施例において典型的に可能である以上にユーザの身体と接触することが望ましい場合がある。例えば、ユーザの身体とより多く接触することによって、より整合性のある皮膚抵抗測定、より正確な皮膚抵抗測定などを可能にすることができる。これらのような状況下では、より多くの接触は、ユーザの異なる身体部分を少なくとも部分的に取り巻くように構成された別個のハウジングによって達成することができる。
【０１２３】
例えば、別個のハウジングは、異なる身体部分と少なくとも部分的に接触するように構成された内部表面を備えることができ、別個のハウジングの外部表面は、身体部分との接触を回避するように構成される。このような実施例において、内部表面および外部表面は、導電性材料、および、別個のハウジングの内部表面の導電性材料の少なくとも一部分と別個のハウジングの外部表面の導電性材料の少なくとも一部分との間に延びる導電体を含むことができる。このようにして、外部表面および内部表面は、別個のハウジングがユーザにより装着されたときにユーザの皮膚に対する電気路を含むことができる。別の実施例では、別個のハウジングは、全体が導電性材料で構成されることができる。このようにして、別個のハウジングは、ユーザによって装着された場合にユーザの皮膚に対する電気路を含むことができる。
【０１２４】
図５Ａの実施例は、薬指上にハウジング５０２を、中指上に別個のハウジング５０４を使用するユーザ５００を例示している。図５Ａの実施例において、ハウジング５０２および別個のハウジング５０４は、図５Ｅに関して説明されたものと類似している。図５Ａの実施例において、ハウジング５０２および別個のハウジング５０４は、図５Ｅに関して説明されているものと同様に、その外部表面を横断して電気的に接触しているということを理解すべきである。このようにして、回路は、ハウジング５０２の内部表面および別個のハウジング５０４の内部表面からユーザの薬指と中指との間の電気路（図示せず）の皮膚抵抗を測定できる。
【０１２５】
図５Ｂの実施例は、右手薬指上にハウジング５１２を、左手薬指上に別個のハウジング５１４を使用するユーザ５１０を例示している。図５Ｂの実施例において、ハウジング５１２および別個のハウジング５１４は、図５Ｅに関して説明されたものと類似している。図５Ｂの実施例において、ハウジング５１２および別個のハウジング５１４は、図５Ｅに関して説明されているものと同様に、その外部表面を横断して電気的に接触しているということを理解すべきである。このようにして、回路は、ハウジング５１２の内部表面および別個のハウジング５１４の内部表面からユーザの左手薬指と右手薬指との間の電気路（図示せず）の皮膚抵抗を測定できる。
【０１２６】
図５Ｃの実施例は、右手首上にハウジング５２２を、左手首上に別個のハウジング５２４を使用するユーザ５２０を例示している。図５Ｃの実施例において、ハウジング５２２および別個のハウジング５２４は、図５Ｅに関して説明されたものと類似している。図５Ｃの実施例において、ハウジング５２２および別個のハウジング５２４は、図５Ｅに関して説明されているものと同様に、その外部表面を横断して電気的に接触しているということを理解すべきである。このようにして、回路は、ハウジング５２２の内部表面および別個のハウジング５２４の内部表面からユーザの左手首と右手首の間の電気路（図示せず）の皮膚抵抗を測定できる。
【０１２７】
図５Ｄの実施例は、右手薬指上にハウジング５３２を、左手首上に別個のハウジング５３４を使用するユーザ５３０を例示している。図５Ｄの実施例において、ハウジング５３２および別個のハウジング５３４は、図５Ｅに関して説明されたものと類似している。図５Ｄの実施例において、ハウジング５３２および別個のハウジング５３４は、図５Ｅに関して説明されているものと同様に、その外部表面を横断して電気的に接触しているということを理解すべきである。このようにして、回路は、ハウジング５３２の内部表面および別個のハウジング５３４の内部表面からユーザの左手首と右手薬指の間の電気路（図示せず）の皮膚抵抗を測定できる。
【０１２８】
図５Ｅの実施例は、ハウジング５５０および別個のハウジング５６０の断面図を例示する。図５Ｅの実施例において、ハウジング５５０は、ハウジング５５０のユーザの身体部分５４０を少なくとも部分的に取り巻き、これと少なくとも部分的に接触するように構成されており、別個のハウジング５６０は、ハウジング５６０のユーザの身体部分５４２を少なくとも部分的に取り巻き、これと少なくとも部分的に接触するように構成されている。図５Ｅの実施例は、指として身体部分５４０および５４２を例示しているものの、身体部分５４０および５４２は、手首、つま先、四肢、足首などの任意の身体部分であることができるということを理解すべきである。ハウジング５５０および別個のハウジング５６０が完璧なドーナツ形として例示されているものの、ハウジング５５０および別個のハウジング５６０は他の形状、例えば図４Ａ〜４Ｊに関して説明された形状、図６Ａ〜６Ｅに関して説明される形状などであることができるということを理解すべきである。
【０１２９】
図５Ｅの実施例において、ハウジング５５０は、外部表面５５２および内部表面５５４を備える。図５Ｅの実施例において、電極は外部表面５５２の少なくとも一部分の上に配置されているということを理解すべきである。図５Ｅの実施例において、電極が内部表面５５４の少なくとも一部分の上に配置されているということを理解すべきである。図５Ｅの実施例において、外部表面５５２および内部表面５５４が材料５５６により分離されていることが分かる。図５Ｅの実施例において、材料５５６が、内部表面５５４上に配置された内部電極から外部表面５５２上に配置された外部電極を分離する導電性材料であるということを理解すべきである。図５Ｅの実施例において、ハウジング５５０は、図４Ａ〜４Ｊに関して説明されたハウジングと類似しているということを理解すべきである。
【０１３０】
図５Ｅの実施例において、別個のハウジング５６０は、外部表面５６２および内部表面５６４を備える。図５Ｅの実施例において、外部表面５６２および内部表面５６４は、導電性材料を含むということを理解すべきである。図５Ｅの実施例において、材料５６６が外部表面５６２と内部表面５６４の間に延びていることが分かる。図５Ｅの実施例において、材料５６６が、内部表面５６４の導電性材料の少なくとも一部分から外部表面５６２の導電性材料の少なくとも一部分まで延びる導電性材料であることを理解すべきである。このようにして、電流が、内部表面５６４の導電性材料と外部表面５６２の導電性材料の間を流れることができる。図５Ｅの実施例において、内部表面５６４は身体部分５４２と少なくとも部分的に接触するように構成され、外部表面５６２は身体部分５４２との接触を回避するように構成されている。
【０１３１】
図５Ｅの実施例において、ハウジング５５０の外部表面５５２はハウジング５６０の外部表面５６２と接触状態にあることが分かる。このようにして、電流が、外部表面５６２上に配置された電極とハウジング５６０の間を流れることができる。ハウジング５６０は、ハウジング５５０の外部電極の延長部分として役立つことができる。このようにして、回路は、図５Ａ〜５Ｄに関して説明されているものと同様に、ハウジング５５０および別個のハウジング５６０が装着されている状況下で、ハウジング５５０の内部電極と別個のハウジング５６０の内部表面５６４の間の皮膚抵抗を測定することができる。
【０１３２】
図５Ｅの実施例および他の実施例において、ユーザは、いずれかの電極または両方の電極の接触をいつ可能にすべきかを制御できるという点に留意されたい。例えば、ユーザは、ユーザに内部表面５５４およびその上に配置された電極に触れさせることになるハウジング５５０の装着をいつにすべきかを制御することにより、内部電極といつ接触すべきかを制御することができる。ユーザは、別個のハウジング５６０を伴ってまたは伴わずに外部表面５５２にいつ触れるべきかを制御することによって、外側の電極といつ接触すべきかを制御することができる。
【０１３３】
図６Ａ〜６Ｅは、少なくとも１つの例示的実施形態に係るハウジングを例示するダイアグラムである。図６Ａ〜６Ｅの実施例は、単なる一例であり、クレームの範囲を限定するものではない。例えば、ハウジングの構成は変動でき、ハウジングの構成も変動でき、ハウジングのサイズも変動できる、等々。
【０１３４】
先に説明したように、いくつかの状況下では、電極が皮膚のより大きな部分と接触していることが望ましい場合がある。いくつかの状況下では、ハウジングは、皮膚のより大きな部分との接触を可能にするように形成されることができる。例えば、ハウジングの外部表面は、ユーザの身体部分を部分的に取り巻くように構成されたチャネルを備えることができる。チャネルは、溝および凹みなどを意味することができる。例えば、図４Ａ〜４Ｊに関して説明されているものと類似のハウジングは、指と一致する形状をもつチャネルを備えることができる。少なくとも１つの例示的実施形態において、ハウジングはユーザの異なる指を少なくとも部分的に取り巻くように構成されたリングであり、チャネルは、ハウジングの内部表面と実質的に同じサイズを有する。
【０１３５】
図６Ａの実施例はハウジング６００を例示する。図６Ａの実施例において、ハウジング６００は、図４Ａ〜４Ｊに関して説明されたハウジングと類似している。図６Ａの実施例において、ハウジング６００の外部表面はチャネル６０２を含む。図６Ａの実施例において、ハウジング６００の外部表面はチャネル６０２を備える。図６Ａの実施例において、チャネル６０２は、身体部分６０４と一致するように整形されている。身体部分６０４は、指として例示されているものの、手首および足首などの任意の身体部分であることができる。チャネル６０２などは、例えば、ユーザの身体部分（例えば指６０４）の皮膚と接触する接触部域の増大（すなわち表面積の増大）を提供するように実装されることができる。
【０１３６】
いくつかの状況下で、電極、ハウジングの一部分などが皮膚の多数の部分、他の物体などと接触することが可能である場合がある。例えば、電極が、多数の指上の皮膚、指の間の指間部、他の身体部分、宝飾品類などと接触する場合がある。このような接触は望ましくない可能性がある。例えば、必要以上の皮膚接触は、第１の電極と第２の電極の間の皮膚の特定の電気路を改変する場合がある。このような電気路の変化は、不精確な皮膚抵抗測定、整合性のない皮膚抵抗測定などを導く可能性がある。これらのような状況下では、例えば電極、ハウジングなどの接触点を限定する目的で電極、ハウジングなどの少なくとも一部分を電気的に絶縁することが望ましい場合がある。このようにして、電極の接触点は、皮膚の望ましくない部分、他の身体部分、他の物体、例えば宝飾類などとの接触を回避することができる。電極、ハウジングなどの絶縁される部分は、電極の形状、サイズ、部分、接触点などに基づいて変動することができる。
【０１３７】
図６Ｂの実施例は、ハウジング６１０を例示する。図６Ｂの実施例において、ハウジング６１０は、図４Ａ〜４Ｊに関して説明されているハウジングに類似している。図６Ｃの実施例において、外部表面６１２は、ハウジング６１０の外部表面６１２上に配置された外部電極および内部電極から電気的に絶縁されている半径方向のギャップ６１６によってカバーされている。半径方向ギャップは、半径方向に整形された電極をカバーする絶縁材料の部分を意味することができる。図６Ｂの実施例において、ハウジング６１０は、半径方向ギャップがユーザ６２０の中指に面するようにユーザ６２０の人差し指の上に装着されている状態で示されている。このようにして、ユーザ６２０の中指が半径方向ギャップと接触した場合でも、電流は、外部表面６１２上に配置された電極とユーザ６２０の中指の間を通過できない可能性がある。
【０１３８】
図６Ｃの実施例は、別個のハウジング６３０を例示する。図６Ｃの実施例において、別個のハウジング６３０は、図５Ａ〜５Ｃに関して説明されたハウジングと類似している。図６Ｃの実施例において、別個のハウジング６３０の外部表面は、導電性表面６３２および電気絶縁された表面６３４を備える。図６Ｃの実施例において、導電性表面６３２は、導電性材料を含む別個のハウジング６３０の外部表面の一部分である。図６Ｃの実施例において、電気絶縁表面６３４は、電気絶縁材料を含む別個のハウジング６３０の外部表面の一部分である。このようにして電気絶縁表面６３４と接触する皮膚の部分は、皮膚のこの部分と導電性表面６３２の間で電流を運ぶことができない可能性がある。
【０１３９】
先に説明したように、ハウジング上に配置された電極は、特定の向きで最も良く機能することができる。例えば、電極は、接触が望ましくない皮膚の部分の方に半径方向ギャップが面している位置において、最も良く機能することができる。これらの状況下では、触覚インジケータが半径方向ギャップ内に配置されることが望ましい場合がある。このようにして、ユーザは、触覚インジケータに基づいて、容易に半径方向ギャップを識別し、ハウジングを配向することができる。少なくとも１つの例示的実施形態において、ハウジングは、半径方向ギャップと外部電極とを触覚により区別する、半径方向ギャップ内に配置された触覚インジケータを備える。触覚インジケータは、電極とは全く異なっているものと感じることのできる突出部などの形状の変化、材料の変化、テクスチャの変化などであることができる。少なくとも１つの例示的実施形態において、別個のハウジングの電気絶縁表面は、別個のハウジングの電気絶縁表面を別個のハウジングの導電性表面と触覚によって区別する触覚インジケータを備える。
【０１４０】
図６Ｄの実施例は、別個のハウジング６４０を例示する。図６Ｃの実施例において、別個のハウジング６４０は、図５Ａ〜５Ｃおよび図６Ｃに関して説明されたハウジングと類似している。図６Ｄの実施例において、別個のハウジング６４０の外部表面は、導電性表面６４２および電気絶縁された表面６４４を備える。図６Ｄの実施例において、導電性表面６４２は、導電性材料を含む別個のハウジング６４０の外部表面の一部分である。図６Ｄの実施例において、電気絶縁表面６４４は、電気絶縁材料を含む別個のハウジング６４０の外部表面の一部分である。このようにして電気絶縁表面６４４と接触する皮膚の部分は、皮膚のこの部分と導電性表面６４２の間で電流を運ぶことができない可能性がある。図６Ｄの実施例においては、電気絶縁表面６４４が外向きの突出部６４６を含むことが分かる。このようにして、外向きの突出部６４６は、別個のハウジング６４０上の電気絶縁表面６４４の位置の触覚インジケータとして役立つことができる。
【０１４１】
先に説明したように、いくつかの状況において、ハウジングが別個のハウジングと接触することが望ましい場合がある。いくつかの状況下では、ハウジングが別個のハウジングのより大きな部分と接触すること、別個のハウジングの特定の部分と接触することなどが望ましい場合がある。いくつかの状況下で、ハウジングは、別個のハウジングのより大きい部分との接触を可能にするように整形されることができる。例えば、ハウジングの外部表面は、別個のハウジングを部分的に取り巻くように構成されたチャネルを備えることができる。例えば、図４Ａ〜４Ｊに関して説明されているものと類似のハウジングおよび／または図５Ａ〜５Ｃに関して説明されているものと類似の別個のハウジングは、ハウジングおよび／または別個のハウジングと一致する形状をもつチャネルを備えることができる。少なくとも１つの例示的実施形態において、ハウジングの外部表面は、別個のハウジングを少なくとも部分的に取り巻くように構成されている少なくとも１つのチャネルを備える。少なくとも１つの例示的実施形態において、チャネルは、別個のハウジングの外部表面と実質的に同じサイズを有する。少なくとも１つの例示的実施形態において別個のハウジングの外部表面は、ハウジングを少なくとも部分的に取り巻くように構成されている少なくとも１つのチャネルを備える。少なくとも１つの例示的実施形態において、チャネルは、ハウジングの外部表面と実質的に同じサイズを有する。
【０１４２】
図６Ｅの実施例は、別個のハウジング６５０を例示する。図６Ｅの実施例において、ハウジング６５０は、図５Ａ〜５Ｃに関して説明されたハウジングと類似している。図６Ｅの実施例において、別個のハウジング６５０の外部表面は、導電性表面６５２および電気絶縁表面６５４を含む。このようにして、電気絶縁表面６５４と接触する皮膚の部分、ハウジングなどは、皮膚の部分、ハウジングなどと導電性表面６５２の間で電流を運ぶことができない可能性がある。図６Ｅの実施例において、ハウジング６５０の導電性表面６５２はチャネル６５６を備える。図６Ｅの実施例において、チャネル６５６は、ハウジング６００と一致するように整形されている。図６Ｅの実施例において、ハウジング６６０は図４Ａ〜４Ｊに関して説明されたハウジングに類似しているということを理解すべきである。このようにして、電流が、導電性表面６５２とハウジング６６０の外部表面の間を流れることができる。
【０１４３】
図７は、少なくとも１つの例示的実施形態に係る、電気皮膚反応の決定と結び付けられるアクティビティを例示する流れ図である。少なくとも１つの例示的実施形態においては、図７のアクティビティに対応する動作セットが存在する。装置、例えば図１の電子装置１０、またはその一部分は、この動作セットを利用することができる。装置は、このような動作を行なうために、例えば図１のプロセッサ１１を含む手段を備えることができる。一例示的実施形態において、例えば図１の電子装置１０などの装置は、プロセッサ例えば図１のプロセッサ１１と協働して図７の動作セットを装置に行なわせるように構成されたコンピュータ・コードを含むメモリ、例えば図１のメモリ１２を有することによって変形される。
【０１４４】
先に説明したように、装置のユーザの電気皮膚反応を決定することが望ましい場合がある。
【０１４５】
ブロック７０２では、装置は、内部電極と外部電極の間の皮膚抵抗を示す情報を回路から受信する。受信、回路、皮膚抵抗、内部電極、および外部電極は、図１、図２Ａ〜２Ｃ、図３Ａ〜３Ｄ、図４Ａ〜４Ｊ、図５Ａ〜５Ｅおよび図６Ａ〜６Ｅに関して説明されているものと同様であることができる。
【０１４６】
ブロック７０４では、装置は、少なくとも部分的に皮膚抵抗に基づいてユーザの電気皮膚反応を決定する。決定および電気皮膚反応は、図３Ａ〜３Ｄ、図４Ａ〜４Ｊ、図５Ａ〜５Ｅおよび図６Ａ〜６Ｅに関して説明されたものと同様であることができる。
【０１４７】
図８は、少なくとも１つの例示的実施形態に係る、皮膚接触閾値の決定と結び付けられるアクティビティを例示する流れ図である。少なくとも１つの例示的実施形態においては、図８のアクティビティに対応する動作セットが存在する。装置、例えば図１の電子装置１０、またはその一部分は、この動作セットを利用することができる。装置は、このような動作を行なうために、例えば図１のプロセッサ１１を含む手段を備えることができる。一例示的実施形態において、例えば図１の電子装置１０などの装置は、プロセッサ例えば図１１のプロセッサ１１と協働して図８の動作セットを装置に行なわせるように構成されたコンピュータ・コードを含むメモリ、例えば図１のメモリ１２を有することによって変形される。
【０１４８】
いくつかの状況下では、電極は、皮膚の表面との良好な接触が欠如している場合、皮膚の表面との接触が全く欠如している場合、別の電極に対し電気的に短絡している場合、などがある。このような状況の間、電気皮膚反応の決定は、不正確である場合、整合性がない場合、不可能である場合などがある。これらのような状況下では、皮膚抵抗が、皮膚抵抗接触閾値内にあること、および／または電気皮膚反応の決定以前に皮膚抵抗が皮膚接触閾値を超えるものとなるように変更されていないこと、を決定することが望ましい場合がある。皮膚抵抗接触閾値は、電極と接触状態にある最小の皮膚部分と整合する皮膚抵抗測定、電極内部で接触状態にある最大の皮膚部分、別の電極に対し短絡していない電極、意図されていない皮膚部分と接触していない電極、などを意味することができる。例えば、電極が短絡している場合、測定された皮膚抵抗は低い可能性があり、皮膚抵抗は皮膚接触閾値を超える可能性がある。
【０１４９】
ブロック８０２では、図７のブロック７０２に関して説明されているのと同様に、装置は、内部電極と外部電極の間の皮膚抵抗を示す情報を回路から受信する。
【０１５０】
ブロック８０４で、装置は、皮膚抵抗が皮膚接触閾値内にあるか否かを決定する。皮膚抵抗が皮膚接触閾値内にあることを装置が決定した場合、流れはブロック８０６へと進む。皮膚抵抗が皮膚接触閾値を上回ることを装置が決定した場合、流れはブロック８０８へと進む。
【０１５１】
ブロック８０６において、図７のブロック７０４に関して説明されているのと同様に、装置は、少なくとも部分的に皮膚抵抗に基づいて、ユーザの電気皮膚反応を決定する。ブロック８０８では、装置は、ユーザの電気皮膚反応の決定を除外する。
【０１５２】
図９は、少なくとも１つの例示的実施形態に係る、別個の装置に対する情報の送信と結び付けられるアクティビティを例示する流れ図である。少なくとも１つの例示的実施形態においては、図９のアクティビティに対応する動作セットが存在する。装置、例えば図１の電子装置１０、またはその一部分は、この動作セットを利用することができる。装置は、このような動作を行なうために、例えば図１のプロセッサ１１を含む手段を備えることができる。一例示的実施形態において、例えば図１の電子装置１０などの装置は、プロセッサ例えば図１１のプロセッサ１１と協働して図９の動作セットを装置に行なわせるように構成されたコンピュータ・コードを含むメモリ、例えば図１のメモリ１２を有することによって変形される。
【０１５３】
先に説明したように、いくつかの状況において、装置は、別個の装置に対し電気皮膚反応を示す情報を送信することができる。
【０１５４】
ブロック９０２において、装置は、別個の装置との通信チャネルを確立する。ここで、確立、通信チャネルおよび別個の装置は、図１、図２Ａ〜２Ｃ、図３Ａ〜３Ｄ、図４Ａ〜４Ｊ、図５Ａ〜５Ｅおよび図６Ａ〜６Ｅに関して説明されたものと同様であることができる。
【０１５５】
ブロック９０４において、図７のブロック７０２に関して説明されているのと同様に、装置は、内部電極と外部電極の間の皮膚抵抗を示す情報を回路から受信する。ブロック９０６では、図７のブロック７０４に関して説明されているのと同様に、装置は、少なくとも部分的に皮膚抵抗に基づいてユーザの電気皮膚反応を決定する。
【０１５６】
ブロック９０８では、装置は別個の装置に対して電気皮膚反応を示す情報を送信する。送信は、図２Ａ〜２Ｃに関して説明されているものと同様であることができる。
【０１５７】
１つ以上の例示的実施形態をソフトウェア、ハードウェア、アプリケーション論理またはソフトウェア、ハードウェアおよびアプリケーション論理の組合せの形で実装することができる。ソフトウェア、アプリケーション論理および／またはハードウェアは、装置、別個の装置または複数の別個のデバイス上に存在することができる。所望される場合、ソフトウェア、アプリケーション論理、および／またはハードウェアの一部分は、装置上に存在することができ、ソフトウェア、アプリケーション論理および／またはハードウェアの一部分は、別個のデバイス上に存在することができ、ソフトウェア、アプリケーション論理および／またはハードウェアの一部分は、複数の別個のデバイス上に存在することができる。例示的実施形態において、アプリケーション論理、ソフトウェアまたは命令セットは、さまざまなコンピュータ可読媒体のいずれか１つの上に維持される。
【０１５８】
所望される場合、本明細書中で論述されている異なる機能を異なる順序でおよび／または互いに同時に行なうことができる。例えば、図９のブロック９０２を、図９のブロック９００の後に行なうことができる。さらに、所望される場合、上述の機能のうちの１つ以上は任意であることができ、あるいは組合せることもできる。例えば、図９のブロック９０２は任意であることができ、および／または図９のブロック９０６と組合せることもできる。
【０１５９】
本願発明のさまざまな態様が独立クレーム内で提示されているが、本願発明の他の態様は、クレーム中に明示的に提示された組合せだけではなく、説明された例示的実施形態および／または従属クレームからの特徴と独立クレームの特徴の他の組合せも含んでいる。
【０１６０】
本明細書では、上で、例示的実施形態が説明されているが、これらの説明は、限定的な意味で考慮されるべきものではないことに留意する。むしろ、本願発明の範囲から逸脱することなく行なうことのできる変更および修正も存在する。
【図１】
0006577594.tif 000002
【図２Ａ】
0006577594.tif 000003
【図２Ｂ】
0006577594.tif 000004
【図２Ｃ】
0006577594.tif 000005
【図３Ａ】
0006577594.tif 000006
【図３Ｂ】
0006577594.tif 000007
【図３Ｃ】
0006577594.tif 000008
【図３Ｄ】
0006577594.tif 000009
【図４Ａ】
0006577594.tif 000010
【図４Ｂ】
0006577594.tif 000011
【図４Ｃ】
0006577594.tif 000012
【図４Ｄ】
0006577594.tif 000013
【図４Ｅ】
0006577594.tif 000014
【図４Ｆ】
0006577594.tif 000015
【図４Ｇ】
0006577594.tif 000016
【図４Ｈ】
0006577594.tif 000017
【図４Ｉ】
0006577594.tif 000018
【図４Ｊ】
0006577594.tif 000019
【図５Ａ】
0006577594.tif 000020
【図５Ｂ】
0006577594.tif 000021
【図５Ｃ】
0006577594.tif 000022
【図５Ｄ】
0006577594.tif 000023
【図５Ｅ】
0006577594.tif 000024
【図６Ａ】
0006577594.tif 000025
【図６Ｂ】
0006577594.tif 000026
【図６Ｃ】
0006577594.tif 000027
【図６Ｄ】
0006577594.tif 000028
【図６Ｅ】
0006577594.tif 000029
【図７】
0006577594.tif 000030
【図８】
0006577594.tif 000031
【図９】
0006577594.tif 000032